(57)【特許請求の範囲】
【請求項１】
主トラフィックを収容するリソースと、前記主トラフィックとは別の副トラフィックを収容するリソースとを備え、前記主トラフィックに係わる障害が発生した場合に前記副トラフィックのリソースに前記主トラフィックを迂回させて当該主トラフィックを救済するセルフヒーリング機能を備えたデータ伝送システムにおいて、
当該システムにおいて定義される所定の単位に対して、前記セルフヒーリング機能の動作を禁止する手段を具備することを特徴とするデータ伝送システム。
【請求項２】
主トラフィックを伝送する現用系伝送路と、前記主トラフィックとは別の副トラフィックを伝送可能な予備系伝送路とを介して複数のノード装置をリング状に接続したデータ伝送システムであって、
主トラフィックを伝送する現用系伝送路と、
前記主トラフィックとは別の副トラフィックを伝送可能な予備系伝送路と、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
隣接するノード装置に挟まれたセグメントが任意に指定されたとき、前記現用系伝送路の当該指定されたセグメントを含む伝送パスに設定された主トラフィックが、前記セルフヒーリング機能制御手段による前記切替処理により前記予備系伝送路に迂回することを禁止する切替禁止制御手段とを具備することを特徴とするデータ伝送システム。
【請求項３】
前記切替禁止制御手段は、前記現用系伝送路の主トラフィックが、前記指定されたセグメントの前記予備系伝送路に迂回することを禁止することを特徴とする請求項２に記載のデータ伝送システム。
【請求項４】
主トラフィックを伝送する現用系伝送路と、前記主トラフィックとは別の副トラフィックを伝送可能な予備系伝送路とを介して複数のノード装置をリング状に接続したデータ伝送システムであって、
主トラフィックを伝送する現用系伝送路と、
前記主トラフィックとは別の副トラフィックを伝送可能な予備系伝送路と、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
前記現用系伝送路に設定された伝送パスが任意に指定されたとき、当該伝送パスに設定された主トラフィックが、前記セルフヒーリング機能制御手段による前記切替処理により前記予備系伝送路に迂回することを禁止する切替禁止制御手段とを具備することを特徴とするデータ伝送システム。
【請求項５】
前記切替禁止制御手段は、前記現用系伝送路の主トラフィックが、前記指定された伝送パスに対応する前記予備系伝送路側のリソースに迂回することを禁止することを特徴とする請求項４に記載のデータ伝送システム。
【請求項６】
前記予備系伝送路に前記副トラフィック用の伝送パスが存在し、当該前記副トラフィック用の伝送パスが、前記指定された伝送パスに対応する前記予備系伝送路側のリソースを含む場合に、
前記切替禁止制御手段は、当該副トラフィック用の伝送パスが設定されたリソースの全てに渡って前記現用系伝送路の主トラフィックが迂回することを禁止することを特徴とする請求項５に記載のデータ伝送システム。
【請求項７】
主トラフィックを伝送する現用系伝送路と、前記主トラフィックとは別の副トラフィックを伝送可能な予備系伝送路とを介して複数のノード装置をリング状に接続したデータ伝送システムであって、
主トラフィックを伝送する現用系伝送路と、
前記主トラフィックとは別の副トラフィックを伝送可能な予備系伝送路と、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
前記現用系伝送路における多重化の単位となるリソースが任意に指定されたとき、当該リソースを含む伝送パスに設定された主トラフィックが、前記セルフヒーリング機能制御手段による前記切替処理により前記予備系伝送路に迂回することを禁止する切替禁止制御手段とを具備することを特徴とするデータ伝送システム。
【請求項８】
前記切替禁止制御手段は、前記現用系伝送路の主トラフィックが、前記指定された多重化の単位となるリソースに対応する前記予備系伝送路側のリソースに迂回することを禁止することを特徴とする請求項７に記載のデータ伝送システム。
【請求項９】
主トラフィックを伝送する現用系伝送路と、前記主トラフィックとは別の副トラフィックを伝送可能な予備系伝送路とを介して複数のノード装置をリング状に接続したデータ伝送システムであって、
主トラフィックを伝送する現用系伝送路と、
前記主トラフィックとは別の副トラフィックを伝送可能な予備系伝送路と、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
前記現用系伝送路における伝送パス設定の際の最小単位となるリソースが任意に指定されたとき、当該リソースを含む伝送パスに設定された主トラフィックが、前記セルフヒーリング機能制御手段による前記切替処理により前記予備系伝送路に迂回することを禁止する切替禁止制御手段とを具備することを特徴とするデータ伝送システム。
【請求項１０】
前記切替禁止制御手段は、前記現用系伝送路の主トラフィックが、前記指定された伝送パス設定の際の最小単位となるリソースに対応する前記予備系伝送路側のリソースに迂回することを禁止することを特徴とする請求項９に記載のデータ伝送システム。
【請求項１１】
前記セルフヒーリング機能制御手段による前記切替処理により前記予備系伝送路に迂回することを禁止する属性を付加した伝送パスを生成する手段を具備することを特徴とする請求項２乃至請求項１０のいずれかに記載のデータ伝送システム。
【請求項１２】
前記セルフヒーリング機能制御手段による前記切替処理により前記予備系伝送路に迂回することを禁止された伝送パスが存在する場合に、当該伝送パスに対する迂回の禁止を解除する手段を具備することを特徴とする請求項２乃至請求項１０のいずれかに記載のデータ伝送システム。
【請求項１３】
前記現用系伝送路および予備系伝送路がいずれも多重化回線であり、隣接する複数の多重化単位に渡って連結された伝送パスが前記指定されたオブジェクトを含む場合に、
前記切替禁止制御手段は、当該連結された伝送パスに設定された主トラフィックが、前記セルフヒーリング機能制御手段による前記切替処理により前記予備系伝送路に迂回することを禁止することを特徴とする請求項２乃至請求項１０のいずれかに記載のデータ伝送システム。
【請求項１４】
主トラフィックを伝送する現用系伝送路と、前記主トラフィックとは別の副トラフィックを伝送可能な予備系伝送路とを介して複数のノード装置をリング状に接続したデータ伝送システムであって、
主トラフィックを伝送する現用系伝送路と、
前記主トラフィックとは別の副トラフィックを伝送可能な予備系伝送路と、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
当該システムにおけるリソースが任意に指定されたとき、当該リソースにおける伝送パスの有無に拘わらず、当該リソースに設定される主トラフィックが、前記セルフヒーリング機能制御手段による前記切替処理により前記予備系伝送路に迂回することを禁止する切替禁止制御手段とを具備することを特徴とするデータ伝送システム。
【請求項１５】
前記切替禁止制御手段は、前記現用系伝送路の主トラフィックが、前記指定されたリソースの前記予備系伝送路に迂回することを禁止することを特徴とする請求項１４に記載のデータ伝送システム。
【請求項１６】
主トラフィックを収容するリソースと、前記主トラフィックとは別の副トラフィックを収容するリソースとを備え、前記主トラフィックに係わる障害が発生した場合に前記副トラフィックのリソースに前記主トラフィックを迂回させて当該主トラフィックを救済するセルフヒーリング機能を備えたデータ伝送システムで使用される監視制御装置であって、
当該システムにおいて定義される所定の単位に対して、前記セルフヒーリング機能の動作を禁止する手段を具備することを特徴とする監視制御装置。
【請求項１７】
主トラフィックを伝送する現用系伝送路と、前記主トラフィックとは別の副トラフィックを伝送可能な予備系伝送路とを介して複数のノード装置をリング状に接続し、前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段を備えたデータ伝送システムで使用される監視制御装置であって、
隣接するノード装置に挟まれたセグメントを任意に指定する指定手段と、
この指定手段でいずれかのセグメントが指定されたとき、前記現用系伝送路の当該指定されたセグメントを含む伝送パスに設定された主トラフィックが、前記セルフヒーリング機能制御手段による前記切替処理により前記予備系伝送路に迂回することを禁止する旨の管理情報を生成する管理情報生成手段と、
この管理情報生成手段で生成された前記管理情報を含むセット要求メッセージを送出して、前記複数のノード装置のそれぞれに対して前記管理情報をセットする管理情報セット手段とを具備することを特徴とする監視制御装置。
【請求項１８】
前記管理情報生成手段は、前記現用系伝送路の主トラフィックが、前記指定されたセグメントの前記予備系伝送路に迂回することを禁止する旨を前記管理情報に含ませることを特徴とする請求項１７に記載の監視制御装置。
【請求項１９】
主トラフィックを伝送する現用系伝送路と、前記主トラフィックとは別の副トラフィックを伝送可能な予備系伝送路とを介して複数のノード装置をリング状に接続し、前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段を備えたデータ伝送システムで使用される監視制御装置であって、
前記現用系伝送路に設定された伝送パスを任意に指定する指定手段と、
この指定手段でいずれかの伝送パスが指定されたとき、当該伝送パスに設定された主トラフィックが、前記セルフヒーリング機能制御手段による前記切替処理により前記予備系伝送路に迂回することを禁止する旨の管理情報を生成する管理情報生成手段と、
この管理情報生成手段で生成された前記管理情報を含むセット要求メッセージを送出して、前記複数のノード装置のそれぞれに対して前記管理情報をセットする管理情報セット手段とを具備することを特徴とする監視制御装置。
【請求項２０】
前記管理情報生成手段は、前記現用系伝送路の主トラフィックが、前記指定された伝送パスに対応する前記予備系伝送路側のリソースに迂回することを禁止する旨を前記管理情報に含ませることを特徴とする請求項１９に記載の監視制御装置。
【請求項２１】
前記予備系伝送路に前記副トラフィック用の伝送パスが存在し、当該前記副トラフィック用の伝送パスが、前記指定された伝送パスに対応する前記予備系伝送路側のリソースを含む場合に、
前記管理情報生成手段は、当該副トラフィック用の伝送パスが設定されたリソースの全てに渡って前記現用系伝送路の主トラフィックが迂回することを禁止する旨を前記管理情報に含ませることを特徴とする請求項２０に記載の監視制御装置。
【請求項２２】
主トラフィックを伝送する現用系伝送路と、前記主トラフィックとは別の副トラフィックを伝送可能な予備系伝送路とを介して複数のノード装置をリング状に接続し、前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段を備えたデータ伝送システムで使用される監視制御装置であって、
前記現用系伝送路における多重化の単位となるリソースを任意に指定する指定手段と、
この指定手段でいずれかのリソースが指定されたとき、当該リソースを含む伝送パスに設定された主トラフィックが、前記セルフヒーリング機能制御手段による前記切替処理により前記予備系伝送路に迂回することを禁止する旨の管理情報を生成する管理情報生成手段と、
この管理情報生成手段で生成された前記管理情報を含むセット要求メッセージを送出して、前記複数のノード装置のそれぞれに対して前記管理情報をセットする管理情報セット手段とを具備することを特徴とする監視制御装置。
【請求項２３】
前記管理情報生成手段は、前記現用系伝送路の主トラフィックが、前記指定された多重化の単位となるリソースに対応する前記予備系伝送路側のリソースに迂回することを禁止する旨を前記管理情報に含ませることを特徴とする請求項２２に記載の監視制御装置。
【請求項２４】
主トラフィックを伝送する現用系伝送路と、前記主トラフィックとは別の副トラフィックを伝送可能な予備系伝送路とを介して複数のノード装置をリング状に接続し、前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段を備えたデータ伝送システムで使用される監視制御装置であって、
前記現用系伝送路における伝送パス設定の際の最小単位となるリソースを任意に指定する指定手段と、
この指定手段でいずれかのリソースが指定されたとき、当該リソースを含む伝送パスに設定された主トラフィックが、前記セルフヒーリング機能制御手段による前記切替処理により前記予備系伝送路に迂回することを禁止する旨の管理情報を生成する管理情報生成手段と、
この管理情報生成手段で生成された前記管理情報を含むセット要求メッセージを送出して、前記複数のノード装置のそれぞれに対して前記管理情報をセットする管理情報セット手段とを具備することを特徴とする監視制御装置。
【請求項２５】
前記管理情報生成手段は、前記現用系伝送路の主トラフィックが、前記指定された伝送パス設定の際の最小単位となるリソースに対応する前記予備系伝送路側のリソースに迂回することを禁止する旨を前記管理情報に含ませることを特徴とする請求項２４に記載の監視制御装置。
【請求項２６】
前記セルフヒーリング機能制御手段による前記切替処理により前記予備系伝送路に迂回することを禁止する属性を付加した伝送パスを生成するパス生成手段を具備することを特徴とする請求項１７乃至請求項２５のいずれかに記載の監視制御装置。
【請求項２７】
前記セルフヒーリング機能制御手段による前記切替処理により前記予備系伝送路に迂回することを禁止された伝送パスが存在する場合に、当該伝送パスに対する迂回の禁止を解除する解除手段を具備することを特徴とする請求項１７乃至請求項２５のいずれかに記載の監視制御装置。
【請求項２８】
前記現用系伝送路および予備系伝送路がいずれも多重化回線であり、隣接する多重化単位に渡って連結された伝送パスが前記指定されたオブジェクトを含む場合に、
前記管理情報生成手段は、当該連結された伝送パスに設定された主トラフィックが、前記セルフヒーリング機能制御手段による前記切替処理により前記予備系伝送路に迂回することを禁止する旨を前記管理情報に含ませることを特徴とする請求項１７乃至請求項２５のいずれかに記載の監視制御装置。
【請求項２９】
前記管理情報セット手段により前記複数のノード装置のそれぞれに対してセットされた管理情報を、少なくとも自装置の監視下にあるノード装置間で整合させる整合手段を具備することを特徴とする請求項１７乃至請求項２８のいずれかに記載の監視制御装置。
【請求項３０】
前記パス生成手段は、主トラフィックが、前記セルフヒーリング機能制御手段による前記切替処理により自己の伝送リソースに迂回することを禁止する属性を付加した伝送パスを前記予備系伝送路に生成することを特徴とする請求項２６に記載の監視制御装置。
【請求項３１】
主トラフィックを伝送する現用系伝送路と、前記主トラフィックとは別の副トラフィックを伝送可能な予備系伝送路とを介して複数のノード装置をリング状に接続し、前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段を備えたデータ伝送システムで使用される監視制御装置であって、
当該システムにおけるリソースを任意に指定する指定手段と、
この指定手段で何らかのリソースが指定されたとき、当該リソースにおける伝送パスの有無に拘わらず、前記現用系伝送路の当該指定されたリソースを含む伝送パスに設定される主トラフィックが、前記セルフヒーリング機能制御手段による前記切替処理により前記予備系伝送路に迂回することを禁止する旨の管理情報を生成する管理情報生成手段と、
この管理情報生成手段で生成された前記管理情報を含むセット要求メッセージを送出して、前記複数のノード装置のそれぞれに対して前記管理情報をセットする管理情報セット手段とを具備することを特徴とする監視制御装置。
【請求項３２】
前記管理情報生成手段は、前記現用系伝送路の主トラフィックが、前記指定されたリソースの前記予備系伝送路に迂回することを禁止する旨を前記管理情報に含ませることを特徴とする請求項３１に記載の監視制御装置。
【請求項３３】
主トラフィックを収容するリソースと、前記主トラフィックとは別の副トラフィックを収容するリソースとを備え、前記主トラフィックに係わる障害が発生した場合に前記副トラフィックのリソースに前記主トラフィックを迂回させて当該主トラフィックを救済するセルフヒーリング機能を備えたデータ伝送システムで使用されるノード装置であって、
当該システムにおいて定義される所定の単位に対して、前記セルフヒーリング機能の動作を禁止する手段を具備することを特徴とするノード装置。
【請求項３４】
主トラフィックを伝送する現用系伝送路と、前記主トラフィックとは別の副トラフィックを伝送可能な予備系伝送路とを介して複数のノード装置をリング状に接続したデータ伝送システムで使用される前記ノード装置であって、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
隣接するノード装置に挟まれたセグメントのいずれかを指定して、前記現用系伝送路の当該指定されたセグメントを含む伝送パスに設定された主トラフィックが、前記セルフヒーリング機能制御手段による前記切替処理により前記予備系伝送路に迂回することを禁止する旨の管理情報を含むセット要求メッセージを受信した場合に、当該セット要求メッセージを受け付け、このメッセージに含まれる管理情報を解釈して自装置にセットすべき管理情報を生成するセット要求受け付け手段と、
このセット要求受け付け手段で生成された管理情報を記憶する記憶手段と、
この記憶手段に記憶された管理情報に基づき、前記セルフヒーリング機能制御手段による前記切替処理を一部禁止する切替禁止制御手段とを具備することを特徴とするノード装置。
【請求項３５】
前記セット要求受け付け手段は、前記現用系伝送路の主トラフィックが、前記指定されたセグメントの前記予備系伝送路に迂回することを禁止する旨を前記自装置にセットすべき管理情報に含ませることを特徴とする請求項３４に記載のノード装置。
【請求項３６】
主トラフィックを伝送する現用系伝送路と、前記主トラフィックとは別の副トラフィックを伝送可能な予備系伝送路とを介して複数のノード装置をリング状に接続したデータ伝送システムで使用される前記ノード装置であって、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
前記現用系伝送路に設定された伝送パスのいずれかを指定して、当該伝送パスに設定された主トラフィックが、前記セルフヒーリング機能制御手段による前記切替処理により前記予備系伝送路に迂回することを禁止する旨の管理情報を含むセット要求メッセージを受信した場合に、当該セット要求メッセージを受け付け、このメッセージに含まれる管理情報を解釈して自装置にセットすべき管理情報を生成するセット要求受け付け手段と、
このセット要求受け付け手段で生成された管理情報を記憶する記憶手段と、
この記憶手段に記憶された管理情報に基づき、前記セルフヒーリング機能制御手段による前記切替処理を一部禁止する切替禁止制御手段とを具備することを特徴とするノード装置。
【請求項３７】
前記セット要求受け付け手段は、前記現用系伝送路の主トラフィックが、前記指定された伝送パスに対応する前記予備系伝送路側のリソースに迂回することを禁止する旨を前記自装置にセットすべき管理情報に含ませることを特徴とする請求項３６に記載のノード装置。
【請求項３８】
前記予備系伝送路に前記副トラフィック用の伝送パスが存在し、当該前記副トラフィック用の伝送パスが、前記指定された伝送パスに対応する前記予備系伝送路側のリソースを含む場合に、
前記セット要求受け付け手段は、当該副トラフィック用の伝送パスが設定されたリソースの全てに渡って前記現用系伝送路の主トラフィックが迂回することを禁止する旨を前記自装置にセットすべき管理情報に含ませることを特徴とする請求項３７に記載のノード装置。
【請求項３９】
主トラフィックを伝送する現用系伝送路と、前記主トラフィックとは別の副トラフィックを伝送可能な予備系伝送路とを介して複数のノード装置をリング状に接続したデータ伝送システムで使用される前記ノード装置であって、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
前記現用系伝送路における多重化の単位となるリソースのいずれかを指定して、当該リソースを含む伝送パスに設定された主トラフィックが、前記セルフヒーリング機能制御手段による前記切替処理により前記予備系伝送路に迂回することを禁止する旨の管理情報を含むセット要求メッセージを受信した場合に、当該セット要求メッセージを受け付け、このメッセージに含まれる管理情報を解釈して自装置にセットすべき管理情報を生成するセット要求受け付け手段と、
このセット要求受け付け手段で生成された管理情報を記憶する記憶手段と、
この記憶手段に記憶された管理情報に基づき、前記セルフヒーリング機能制御手段による前記切替処理を一部禁止する切替禁止制御手段とを具備することを特徴とするノード装置。
【請求項４０】
前記セット要求受け付け手段は、前記現用系伝送路の主トラフィックが、前記指定された多重化の単位となるリソースに対応する前記予備系伝送路側のリソースに迂回することを禁止する旨を前記自装置にセットすべき管理情報に含ませることを特徴とする請求項３９に記載のノード装置。
【請求項４１】
主トラフィックを伝送する現用系伝送路と、前記主トラフィックとは別の副トラフィックを伝送可能な予備系伝送路とを介して複数のノード装置をリング状に接続したデータ伝送システムで使用される前記ノード装置であって、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
前記現用系伝送路における伝送パス設定の際の最小単位となるリソースのいずれかを指定して、当該リソースを含む伝送パスに設定された主トラフィックが、前記セルフヒーリング機能制御手段による前記切替処理により前記予備系伝送路に迂回することを禁止する旨の管理情報を含むセット要求メッセージを受信した場合に、当該セット要求メッセージを受け付け、このメッセージに含まれる管理情報を解釈して自装置にセットすべき管理情報を生成するセット要求受け付け手段と、
このセット要求受け付け手段で生成された管理情報を記憶する記憶手段と、
この記憶手段に記憶された管理情報に基づき、前記セルフヒーリング機能制御手段による前記切替処理を一部禁止する切替禁止制御手段とを具備することを特徴とするノード装置。
【請求項４２】
前記セット要求受け付け手段は、前記現用系伝送路の主トラフィックが、前記指定された伝送パス設定の際の最小単位となるリソースに対応する前記予備系伝送路側のリソースに迂回することを禁止する旨を前記自装置にセットすべき管理情報に含ませることを特徴とする請求項４１に記載のノード装置。
【請求項４３】
主トラフィックを伝送する現用系伝送路と、前記主トラフィックとは別の副トラフィックを伝送可能な予備系伝送路とを介して複数のノード装置をリング状に接続したデータ伝送システムで使用される前記ノード装置であって、
前記主トラフィックに係わる障害が発生した場合に、前記主トラフィックの伝送パスを前記予備系伝送路に切り替えて当該主トラフィックを前記予備系伝送路に迂回させる切替処理を行うセルフヒーリング機能制御手段と、
前記データ伝送システムの何らかのリソースを指定して、前記現用系伝送路の当該指定されたリソースを含む伝送パスに設定された主トラフィックが、前記セルフヒーリング機能制御手段による前記切替処理により前記予備系伝送路に迂回することを禁止する旨の管理情報を含むセット要求メッセージを受信した場合に、当該セット要求メッセージを受け付け、このメッセージに含まれる管理情報を解釈して自装置にセットすべき管理情報を生成するセット要求受け付け手段と、
このセット要求受け付け手段で生成された管理情報を記憶する記憶手段と、
この記憶手段に記憶された管理情報に基づき、前記セルフヒーリング機能制御手段による前記切替処理を一部禁止する切替禁止制御手段とを具備することを特徴とするノード装置。
【請求項４４】
前記セット要求受け付け手段は、前記現用系伝送路の主トラフィックが、前記指定されたリソースの前記予備系伝送路に迂回することを禁止する旨を前記自装置にセットすべき管理情報に含ませることを特徴とする請求項４３に記載のノード装置。
【発明の詳細な説明】
【０００１】
【発明の属する技術分野】
本発明は、例えば光海底ケーブルシステムなどのデータ伝送システムと、当該システムで使用されるノード装置および監視制御装置に関する。
【０００２】
【従来の技術】
基幹ネットワークに適用される情報通信システムでは、障害が発生した場合でも通信が途絶えることなく、データ伝送を継続できることが要求される。このため、通信の信頼性を確保するための様々な手法が提供されている。特に、大規模なネットワークにおいては、信号伝送路を介して複数のノードがリング状に接続され、また伝送路が、現用系伝送路と予備系伝送路とを備える構成が主流である。
【０００３】
この種のネットワークでは、ネットワークに障害が発生していない状態においては、現用系伝送路にサービストラフィックが収容される。現用系伝送路に障害が発生した場合には、サービストラフィックの伝送経路が予備系伝送路に切り替えられる。このようにして、サービストラフィックは救済される。
【０００４】
また、ネットワークに障害がない状態では、予備系伝送路は、サービストラフィックよりも優先度の低いエキストラトラフィックまたはパートタイムトラフィックを収容する。これらのトラフィックは、障害発生時においては切断される。
【０００５】
このようなアーキテクチャを備えるネットワークには、例えばＳＤＨ（Synchronous Digital Hierarchy）に準拠するシステムや、米国標準であるＳＯＮＥＴ（Synchronous Optical Network）に準拠するシステムなどがある。サービストラフィックのプロテクションに係わる処理は、格ノード装置間の情報授受による自律分散制御により実現されることが多い。この種の処理機能は、セルフヒーリング機能と称される。ＳＤＨにおけるセルフヒーリング機能はＡＰＳ（Automatic Protection Switching）と称される。ＡＰＳの詳細な説明は、ＩＴＵ（International Telecommunication Union）から頒布されたＩＴＵ−Ｔ（Telecommunication Standardization Sector of ITU）勧告（Recommendation）Ｇ．８４１などに、記載されている。
【０００６】
ところで、近年のＩＰ（Internet Protocol）技術の急速な進展に伴い、ＩＰパケットの大容量かつ高速な伝送が可能になりつつある。また、サービストラフィックの伝送経路を外部のネットワークに迂回させて、サービストラフィックを救済する技術が実現されつつある。このような背景から通信事業者のニーズは多様化してきており、ネットワークの運用面での自由度を、現在よりもさらに高めることが要求されている。
【０００７】
【発明が解決しようとする課題】
以上述べたように、近年の通信技術の進展に伴って、通信事業者のニーズは多様化してきている。このため、ネットワークの運用面での自由度を現在よりもさらに高めることが要求されている。
【０００８】
本発明は上記事情によりなされたもので、その目的は、運用面での自由度の更なる向上を図ったデータ伝送システム、監視制御装置およびノード装置を提供することにある。
【０００９】
【課題を解決するための手段】
上記目的を達成するために本発明は、例えばサービストラフィックなどの主トラフィックを収容するリソースと、前記主トラフィックとは別の例えばエキストラトラフィックやパートタイムトラフィックなどの副トラフィックを収容するリソースとを備え、前記主トラフィックに係わる障害が発生した場合に前記副トラフィックのリソースに前記主トラフィックを迂回させて当該主トラフィックを救済する例えばＡＰＳ制御手段などのセルフヒーリング機能を備えた例えばＳＤＨ伝送システムなどのデータ伝送システムにおいて、
当該システムにおいて定義される所定の単位に対して、前記セルフヒーリング機能の動作を禁止する手段を具備することを特徴とする。
【００１０】
なおここで言う「所定の単位」とは、例えば「セグメント」や、「伝送パス」や、時分割多重方式にあっては個々のタイムスロット、波長多重方式にあっては個々の波長などの「多重化の単位」や、あるセグメントの一つのタイムスロットなどの「伝送パス設定の際の最小単位」などを意味する。
【００１１】
より具体的には、主トラフィックを伝送する現用系伝送路と、前記主トラフィックとは別の副トラフィックを伝送可能な予備系伝送路とを介して複数のノード装置をリング状に接続したデータ伝送システムにおいて、
前記主トラフィックに係わる障害が発生した場合に、前記主トラフィックの伝送パスを前記予備系伝送路に切り替えて当該主トラフィックを前記予備系伝送路に迂回させる切替処理を行う例えばＡＰＳ制御手段などのセルフヒーリング機能制御手段と、隣接するノード装置に挟まれたセグメントが任意に指定されたとき、前記現用系伝送路の当該指定されたセグメントを含む伝送パスに設定された主トラフィックが、前記セルフヒーリング機能制御手段による前記切替処理により前記予備系伝送路に迂回することを禁止する切替禁止制御手段とを具備することを特徴とする。
【００１２】
このような手段を講じることにより、当該システムにおいて定義される所定の単位に対してセルフヒーリング機能によるサービストラフィックの救済が禁止されるようになる。これにより伝送路障害が生じた場合でも、上記所定の単位においては、予備系伝送路に設定された副トラフィックが切断されることがなくなり、障害の有無に拘わらず副トラフィックの伝送を継続できるようになる。これらのことから、運用面での自由度の更なる向上を図ることが可能になる。
【００１３】
従来のシステムでは、サービストラフィックに係わる障害が発生すると、当該サービストラフィックを予備系に迂回させる処理をいわば盲目的に実施していた。これに対して本発明では、上記サービストラフィックを予備系に迂回させる処理を、システムにおいて定義される所定の単位に対して、選択的に禁止するようにしている。このことは、当該単位に限り、現用系の状態に拘わらず予備系にトラフィックを伝送することが可能になることを意味する。またこのことは、見方を変えれば主トラフィックと副トラフィックとの間の優先度が互いに同格になることを意味する。
【００１４】
すなわち上記手段により、副トラフィックの盲目的な切断を避け得るようになるので、伝送容量を従来のシステムよりも見かけ上増やすことなどが可能になる。
【００１５】
また本発明の大きな特徴は、主トラフィックと副トラフィックとの間の優先度を互いに同格とする設定をネットワーク全体に渡って実施するのではなく、システムを形成する一部のオブジェクトを指定し、この指定されたオブジェクトに関してのみ、上記設定を有効とする点にある。
【００１６】
なお、上記したような、主トラフィックと副トラフィックとの間の優先度を互いに同格とする設定については、例えば上記ＩＴＵ−Ｔ勧告Ｇ．８４１（１０／９８）などに、ＮＵＴ（Non-pre-emptible unprotected traffic）としてその概念が記載されている。
【００１７】
本明細書は、上記のＮＵＴのような概念そのものを開示することを目的としない。本明細書は、例えばＮＵＴに代表されるような冗長切り替えの抑圧に係わる手法をデータ伝送システム、監視制御装置、ノード装置などの観点から実現するための手段を開示するものである。また本明細書では、主トラフィックと副トラフィックとの間の優先度を互いに同格とする設定につき、監視制御装置におけるオペレーションや、監視制御装置からの外部要求を受信した被監視装置（ノード装置）の動作などと関連付けて説明する。
【００１８】
【発明の実施の形態】
次に、図面を参照して本発明の実施の形態を詳細に説明する。
＜システムの構成＞
図１は、本発明の実施の形態に係わるデータ伝送システムの構成を示す図である。このシステムは、ＩＴＵ−Ｔ勧告Ｇ．８４１に規定されるＡＰＳ機能を備える、いわゆる二重化リングネットワーク（Ring Network）である。
【００１９】
このリングネットワークは、複数のノード装置（以下ノードと称する）Ａ〜Ｄと、これらのノードＡ〜Ｄをリング状に接続する光ファイバ伝送路ＴＬを備える。光ファイバ伝送路ＴＬは、現用系伝送路ＳＬ（Service Line）と予備系伝送路ＰＬ（Protection Line）とを備える。現用系伝送路ＳＬ（Service Line）および予備系伝送路ＰＬ（Protection Line）は、いずれも時計回り（Clockwise：ＣＷ）回線および反時計回り（Counter Clockwise：ＣＣＷ）回線を備える。この種の二重化リングネットワークは、特に４ファイバリングシステムと称される。なお、１本のファイバに現用系伝送路と予備系伝送路とが多重される２ファイバリングシステムも有る。本願発明は、２ファイバリングシステムにも適用できる。
【００２０】
現用系伝送路ＳＬ、および予備系伝送路ＰＬは、複数の波長の光信号が多重される波長多重光を伝送する。各波長光には、ＳＴＭ−６４（Synchronous Transport Module Level 64）などの高速インタフェースが適用される。システムに障害の無い場合に現用系伝送路ＳＬを介して伝送される信号は、サービストラフィックと称される。現用系伝送路ＳＬにサービストラフィックが収容されているときには、予備系伝送路ＰＬは空きとなる。そこで、システムの運用効率の向上のために、サービストラフィックよりも優先度の低いトラフィックを、予備系伝送路の空きチャネルに流す場合がある。この種のトラフィックは、エキストラトラフィック、またはパートタイムトラフィック（Ｐ／Ｔトラフィック）と称される。
【００２１】
パートタイムトラフィックには、専用のインタフェースが設けられる。エキストラトラフィック用のタイムスロットは、サービストラフィック用のタイムスロットに１対１に対応するように決められる。パートタイムトラフィック用のタイムスロットには、そのような制限は無い。
【００２２】
ノードＡ〜Ｄは、それぞれ低速回線３ｃを介して、低次群装置（符号付さず）に接続される。低次群装置には、交換機、専用線ノード、または、ＡＴＭクロスコネクト装置などがある。
【００２３】
本実施形態においては、便宜上、各ノードにとってのＣＷ方向をＥａｓｔと称し、ＣＣＷ方向をＷｅｓｔと称する。例えば、ノードＢに着目すると、ノードＣに向かう向きがＥａｓｔ、ノードＡに向かう向きがＷｅｓｔである。
【００２４】
図１に示されるシステムは、システム全体を監視したり、制御したりする監視制御装置（Network Management Equipment：以下ＮＭＥと称する）を備える。ＮＭＥ１０は、例えば汎用のワークステーションに専用のアプリケーションソフトを実装することにより実現される。ＮＭＥ１０により実施される制御機能には、ネットワークおけるパス設定処理、または、警報監視処理などがある。
【００２５】
ＮＭＥ１０は、ＬＡＮなどを介して例えば一つのノード（図１ではノードＤ）に接続される。もちろん、ＮＭＥ１０が全てのノードに接続されるシステム構成も有る。システム構成において、ＮＭＥ１０の数、およびその設置の形態は任意である。
【００２６】
このようなシステムにおいては、ＮＭＥ１０をマネージャ、各ノードＡ〜Ｄをエージェントとするマネージャ／エージェントモデルが形成される。ＮＭＥ１０の制御の対象（ＭＯ：Managed Object）は、ノードＡ〜Ｄだけに限らず、例えば光ファイバ伝送路ＴＬなどの様々なオブジェクトが有る。
【００２７】
ＮＭＥ１０は、網管理用のネットワーク（以下Management Networkと称する）を介して、監視制御対象に接続される。ＮＭＥ１０は、管理ネットワークを介して各ノードから受信する通知情報（Notification）を主に利用して、ネットワークを管理する。管理ネットワークは、ＳＤＨフレームに設けられるチャネルであるところの、例えばＤＣＣ（Data Communication Channel）を利用して形成される。ＮＭＥ１０と各ノードＡ〜Ｄとの通信プロトコルには、例えばＣＭＩＰ（Common Management Information Protocol）が適用される。
【００２８】
なお本実施形態では、ノードＡとノードＢとの間の区間を、セグメント（Segment ）ＡＢと称する。ノードＢとノードＣとの間の区間を、セグメントＢＣと称する。ノードＣとノードＤとの間の区間を、セグメントＣＤと称する。また、ノードＤとノードＡとの間の区間を、セグメントＤＡと称する。
【００２９】
＜パス設定に関する基本的な説明＞
ノードＡ〜Ｄは、光ファイバ伝送路ＴＬを介して伝送されるＳＴＭ−６４フレームに時分割多重されるタイムスロットのうち、所定のスロットをドロップする。ドロップされたスロットは、ＳＴＭ−１、ＳＴＭ−４、または、ＳＴＭ−１６などの低次群信号として、低速回線３ｃに送出される。また、ノードＡ〜Ｄは、低速回線３ｃからの低次群信号を、ＳＴＭ−６４フレームの所定スロットに多重（アッド）する。これにより生成された高次群信号は、他のノードに向け送出される。このようにして、所定の伝送容量を持つ通信パス（communication path）が、各ノード間に設定される。
【００３０】
任意の区間での情報通信は、当該区間にパスが設定されることによってはじめて可能になる。パスが設定される際には、通信を行いたい区間の一方のノードの低速側チャネルと、他方のノードの低速側チャネルと、経由するノードなどを指定する。
【００３１】
＜ノードの構成＞
図２に、ノードＡ〜Ｄの構成を示す。ノードＡ〜Ｄは、現用系伝送路ＳＬを終端（terminate）する現用系高速インタフェース部（現用系 HS interface unit）（ＨＳ  Ｉ／Ｆと表記される）１−０と、予備系伝送路ＰＬを終端する予備系高速インタフェース部（予備系 HS interface unit）１−１とを備える。現用系高速インタフェース部１−０、または予備系高速インタフェース部１−１を介して装置内部に導入されるＳＴＭ−６４信号は、タイムスロット交換部（ＴＳＡ：Time Slot Assignment）２−０に入力される。
【００３２】
タイムスロット交換部２−０は、ＳＴＭ−６４信号に時分割多重されたタイムスロットのうち、所定のタイムスロットをドロップする。ドロップされたスロットは、低次群信号として低速インタフェース部（LS interface unit）（ＬＳ  Ｉ／Ｆと表記される）３−１〜３−ｋに与えられる。逆に、低速インタフェース部３−１〜３−ｋから到来する低次群信号は、タイムスロット交換部２−０に与えられ、ＳＴＭ−６４フレームの所定のタイムスロットにアッドされ、光ファイバ伝送路ＴＬに送出される。
【００３３】
タイムスロット交換部２−０は、タイムスロット交換部２−１と対を成して二重化される。Normal stateでは、タイムスロット交換部２−０が現用系として動作する。タイムスロット交換部２−０に障害が起こると、タイムスロット交換部２−１を予備系として運用すべく、装置内switchingが実行される。タイムスロット交換部２−１の動作は、タイムスロット交換部２−０の動作と同様である。
【００３４】
なお、現用系と予備系との間には、現用系から予備系へ、又は予備系から現用系への信号径路の変更を可能とするスイッチ回路（図示せず）が設けられる。
【００３５】
高速インタフェース部１−０，１−１、タイムスロット交換部２−０，２−１、および、低速インタフェース部３−１〜３−ｋは、それぞれサブコントローラ４Ｈ，４Ｔ，４Ｌを介して主制御部（Central Processing Unit）５に接続される。サブコントローラ４Ｈ，４Ｔ，４Ｌは、主制御部５による制御を補助する。protection switchingなどの各種の制御は、サブコントローラ４Ｈ，４Ｔ，４Ｌと主制御部５との協調動作により、階層的に実施される。
【００３６】
主制御部５は、各種制御プログラムなどを記憶する記憶部６と、管理網インタフェース（Ｉ／Ｆ）７とに接続される。記憶部６には、個々のリングネットワークにおけるパスの設定状態を示す情報であるリングマップ（Ring Map）、および、、高次群チャネルと低次群チャネルとの接続設定状態を示す情報であるファブリック（Fabric）などが記憶される。いずれの情報も、ＡＰＳの実施の際に必要とされる。リングマップについては、ＩＴＵ−Ｔ勧告Ｇ．８４１のFigure 7-6/Ｇ．８４１などに詳しい記述がある。
【００３７】
また記憶部６には、例えば図３にされるような管理テーブル６ａが記憶される。管理テーブル６ａの内容については後述する。
【００３８】
本実施形態では、主制御部５はＡＰＳ制御部５ａを備える。ＡＰＳ制御部５ａは、failure stateなどにおいて、サービストラフィックの伝送ルートを、現用系伝送路ＳＬから予備系伝送路ＰＬに切り替える処理を実施する。すなわちＡＰＳ制御部５ａは、セルフヒーリング機能を実現するための、既知の機能オブジェクトである。
【００３９】
ＡＰＳ制御部５ａにより実施されるswitching処理には、大きく分けて、（スパン切替（Span Switching）と、リング切替（Ring Switching）との２つの形態が有る。リング切替には、いわゆるループ（Loop）型と称されるNon-Transoceanic方式による切替と、ノンループ（Non-Loop）型と称されるTransoceanic方式による切替との２種類が有る。これらの方式の概略的な違いについては後述する。
【００４０】
本実施形態におけるＡＰＳ制御部５ａは、少なくとも、Transoceanic方式による切替を実現する。Transoceanic方式による切替制御手順は、ＩＴＵ−Ｔ勧告Ｇ．８４１ Annex Aにおいて、MS shared protection rings (transoceanic application)として記載される。
【００４１】
なお当業者の間では、上記MS shared protection rings (transoceanic application)の機能を、Ring APSと称するか、または、ＨＳインタフェースに係わる切替の意味からHS APSと称することもある。
【００４２】
主制御部５は、ＡＰＳ制御部５ａなどの既知の制御機能に加え、切替禁止制御部５ｂと、セット要求受付処理部５ｃとを備える。
切替禁止制御部５ｂは、記憶部６に記憶される管理テーブル６ａの内容に基づき、ＡＰＳ制御部５ａによる切替処理を部分的に禁止する。すなわち切替禁止制御部５ｂは、切替処理をネットワークの全てのリソースに渡って禁止するのではなく、例えば、ある特定のセグメントに限って、ＡＰＳ機能による切替処理を禁止する。
【００４３】
セット要求受付処理部５ｃは、監視制御装置１０から送出されるセット要求メッセージを受け付け、このメッセージの内容から管理テーブル６ａを生成する。生成された管理テーブル６ａは、記憶部６に記憶される。
【００４４】
セット要求メッセージは、例えば、“現用系伝送路ＳＬにおける伝送パスに設定されたサービストラフィックが、ＡＰＳ制御部５ａによる切替処理により予備系伝送路ＰＬに迂回することを、セグメントＡＢに限り禁止する”といった内容を含む。
【００４５】
なお本実施形態では、切替禁止制御部５ｂを、むしろＡＰＳ制御部５ａの機能の一部としてインプリメントすることも可能である。
【００４６】
図３に、管理テーブル６ａの内容の一例を示す。現用系伝送路ＳＬ、および予備系伝送路ＰＬにおける個々のタイムスロット（ＴＳ１〜ＴＳ６４）は、管理テーブル６ａにおいて、行（すなわち横方向の広がり）として表現される。列（すなわち縦方向の広がり）は、各ノードのＷｅｓｔ側、およびＥａｓｔ側における、スパン切替（Ｓ）、リング切替（Ｒ）の区別を示す。
【００４７】
行と列との交点であるセル（すなわち一つのマス目）には、当該セルに対応するシステムリソースに対してＡＰＳによる切り替えを禁止するか、または許可するかの区別が、１ビットで記述される。すなわち、切替が禁止されるリソースに対応するセルには“１”が、切替が許可されるリソースに対応するセルには、“０”が記述される。
【００４８】
例えば、ノードＤの、Ｗｅｓｔ側の、タイムスロットＴＳ１においてスパン切替が禁止される場合には、図３における点線円囲み部分に、ビット１が記述される。なお、図３の管理テーブル６ａは、デフォルトの状態での設定内容を反映したものであり、全てのセルに０が記述される。すなわちデフォルト状態においては、ＡＰＳによる切替を禁じられるリソースは、システム内に無い。
【００４９】
＜監視制御装置の構成＞
図４に、ＮＭＥ１０の構成を示す。ＮＭＥ１０は例えば汎用のワークステーションに専用のアプリケーションソフトを搭載してなり、その機能の主体はソフトウェアにより実現される。ＮＭＥ１０は、入出力部８０と、インタフェース（Ｉ／Ｆ）部９０と、記憶部１００と、ＣＰＵ１１０とを備える。入出力部８０は、操作部２１，表示部２５を備えてヒューマンマシンインタフェースを担う。インタフェース（Ｉ／Ｆ）部９０は、ＬＡＮを介して各ノードＡ〜Ｈとの接続インタフェースをとる。記憶部１００は、各種監視制御プログラムなどを記憶する。操作部２１は、例えばマウスやキーボードなどとして、表示部２５は液晶ディスプレイなどとして実現される。
【００５０】
ところでＣＰＵ１１０は、本発明に係わる新たな制御機能として指定処理部１１０ａ、管理テーブル生成処理部１１０ｂ、セット処理部１１０ｃ、パス生成処理部１１０ｄ、解除処理部１１０ｅ、整合処理部１１０ｆを備える。
【００５１】
指定処理部１１０ａは、操作部２１を使用して行なわれるオペレータの操作を受け付ける。オペレータは、ＮＭＥ１０の表示部２５の画面上に表示される例えばＧＵＩ（Graphical User Interface）を利用して、自らの意志をＮＭＥ１０に伝える。操作の内容には、ＡＰＳによる切り替えを禁止するリソース（例えばセグメントなど）の指定などが有る。受け付けられた操作の内容は、種々の処理に反映される。
【００５２】
管理テーブル生成処理部１１０ｂは、指定処理部１１０ａにおいてリソースが指定された場合に、このリソースにつきＡＰＳによる切り替えを禁止することを示す管理テーブル６ａを生成する。
【００５３】
＜管理テーブル６ａの設定に関する説明＞
基本的に、管理テーブル６ａは管理テーブル生成処理部１１０ｂにより生成される。この場合、監視制御装置側１０において管理テーブル６ａが生成される。よってノードＡ〜Ｄにおける処理は、管理テーブル６ａを受信し、記憶するのみとなる。
【００５４】
別の方法としては、管理テーブル６ａを生成する機能をノードＡ〜Ｄ側に委ね、監視制御装置１０は簡単なメッセージを送出するのみで、これに応じてノードＡ〜Ｄ側にて管理テーブル６ａを生成するようにしても良い。この場合、管理テーブル６ａを生成する機能は主としてセット要求受付処理部５ｃが担うことになる。
【００５５】
すなわち、監視制御装置１０において管理テーブル６ａを展開し、展開されたデータをノードＡ〜Ｄに送るようにしても良い。または、監視制御装置１０から送られた基本的データをノードＡ〜Ｄにおいて展開し、これにより管理テーブル６ａを生成するようにしても良い。
【００５６】
セット処理部１１０ｃは、管理テーブル生成処理部１１０ｂで生成された管理テーブル６ａを含むセット要求メッセージを、生成する。この要求メッセージは、各ノード装置Ａ〜Ｄに送出される。要求メッセージを受け取ったノード装置Ａ〜Ｄは、管理テーブル６ａを記憶部６に記憶する。
【００５７】
パス生成処理部１１０ｄは、ＡＰＳにより予備系伝送路ＰＬに迂回することを禁止されるという属性を有する伝送パスを、現用系伝送路ＳＬに生成する。またパス生成処理部１１０ｄは、現用系伝送路ＳＬのサービストラフィックがＡＰＳにより自己の伝送リソースに迂回することを許さないという属性を有する伝送パスを、予備系伝送路ＰＬに生成する。すなわちこの伝送パスは、サービストラフィックに如何なる障害が発生しても、切断されない。よって、この伝送パスを介して伝送されるＰ／Ｔトラフィックまたはエキストラトラフィックは、サービストラフィックに障害が発生しても、切断されない。
【００５８】
解除処理部１１０ｅは、予備系伝送路ＰＬに迂回することを禁止される伝送パスが存在する場合に、オペレータの解除要求操作に応じて、この伝送パスに対する迂回の禁止を解除する。
【００５９】
整合処理部１１０ｆは、ノード装置Ａ〜Ｄにそれぞれ記憶される管理テーブル６ａを、ノード装置Ａ〜Ｄ間で整合させる。この種の機能はDiagnosticsと称される。
【００６０】
なお、上記ＡＰＳ制御部５ａ、切替禁止制御部５ｂ、セット要求受付処理部５ｃ、指定処理部１１０ａ、管理テーブル生成処理部１１０ｂ、セット処理部１１０ｃ、パス生成処理部１１０ｄ、解除処理部１１０ｅ、および、整合処理部１１０ｆは、既存の制御プログラムに、例えばパッチを付加するなどの手法により実現される新たな制御機能である。本実施形態においては、上記の各処理部の協調動作により実現される機能につき、詳しく説明される。
【００６１】
＜動作の説明＞
（システムの基本的動作）
本実施形態の伝送システムにおいては、伝送パスが設定されることにより、情報伝送が実現される。伝送パスは、通信すべき区間の一方のノードの低速側チャネルと、他方のノードの低速側のチャネルと、中継ノードとが指定されることにより設定される。通常、伝送パスを介して双方向の情報通信が実現される。
【００６２】
図５に示されるように、ノードＣとノードＡとの間に伝送パスが設定されているとする。この場合、ノードＣは低速回線３ｃからの低次群信号をＳＴＭ信号フレームの所定のタイムスロットに多重する。これにより生成された高次群信号は、光ファイバ伝送路ＴＬを介してノードＤに伝送される。
【００６３】
ノードＤは、上記タイムスロットを通過させる。そして、ノードＡは当該タイムスロットを分離し、低速回線３ｃにドロップする。このようにしてノードＣからノードＡへのデータ伝送が実現される。ノードＡからノードＣへのデータ伝送も、同様の手順により実現される。このようにして双方向の情報通信が可能となる。
【００６４】
次に、ノードＡ〜Ｄにより実施されるパス設定の基本的な手順、およびパスルートの切替の手順につき説明する。ＮＭＥ１０においてオペレータによる伝送パスの設定操作が行われると、この操作により生成された情報が、図２のＨＳ  Ｉ／Ｆ１−０を介して主制御部５に取り込まれる。主制御部５はこの情報をもとに、記憶部６のリングマップと接続状態情報とを更新する。
【００６５】
主制御部５は、ＴＳＡ２−０を、接続状態情報に基づくスイッチング状態に設定する。これによりＴＳＡ２−０は、一方の現用系ＨＳ  Ｉ／Ｆ１−０を介して受信した信号に含まれるチャネルのうち、ドロップする必要のないチャネルを、他方のＨＳ  Ｉ／Ｆ１−０にスルーさせる。またＴＳＡ２−０は、ドロップあるいはアッドする必要のあるチャネルを、当該チャネルに対応するＬＳ  Ｉ／Ｆ３−１〜３−ｋに接続する。
【００６６】
一方、ノード内の各ユニットに設けられる監視部（図示せず）からのアラーム情報、または他のノードからの伝送路切替え要求が主制御部５に通知されたとする。そうすると、ＡＰＳ制御部５ａは、サービストラフィックを救済するための伝送パスの迂回径路を算出し、その結果に基づいて記憶部６のリングマップおよび接続状態情報を更新する。これにより、ＴＳＡ２−０の設定状態が変更され、サービストラフィックが障害から救済される。
【００６７】
（リングＡＰＳの基本的動作）
ＡＰＳ制御部５ａにより実施される切替処理につき説明する。図５に示される状態の伝送パスが設定されている場合につき、説明する。
図５の状態から、図６に示すように、ノードＤとノードＡとの間の現用系伝送路ＳＬに障害が発生したとする。この障害はノードＤおよびＡにおいて検出され、スパン切替が実施される。スパン切替とは、図６に示されるように、現用系伝送路ＳＬから同じ区間の予備系伝送路ＰＬにトラフィックの伝送ルートを切り替える形態の切替である。なお、図６に示される形態の障害は、現用系伝送路ＳＬが切断された場合だけでなく、ノードＤまたはノードＡにおける現用系伝送路ＳＬに関係する部分に障害が発生した場合にも、同様に生じる。
【００６８】
一方、図７に示すように、ノードＤとノードＡとの間の、現用系伝送路ＳＬおよび予備系伝送路ＰＬに、障害が発生したとする。この場合には、スパン切替によってはサービストラフィックを救済することができない。このため、図７に示すように、サービストラフィックの伝送ルートは、ノードＣ→Ｄ間の現用系伝送路ＳＬ、およびノードＤ→Ｃ→Ｂ→Ａの予備系伝送路ＰＬを経由するルートに切り替えられる。このうち予備系伝送路におけるルートは、他の伝送パスに影響を与えないために設けられる。
【００６９】
このような形式の切替は、リング切替（loop type）と称される。リング切替（loop type）においては、障害を検出したノードＤおよびノードＡのみが切り替えに関与するので、制御が簡単であるというメリットがある。しかしながら、各ノード間の距離が長い場合には、伝送遅延が大きくなるというデメリットがある。
【００７０】
そこで、図８に示すような切替処理が実施されることもある。この切替処理は、ルーピング無しでトラフィックを迂回させるものであり、よって迂回ルートは最短経路で形成される。このような切替方式が、いわゆるリング切替（non-loop type）である。なお、いずれのタイプのリング切替方式をインプリメントするかは、システムの設計時に適宜決められる。
【００７１】
（切替禁止の設定の単位について）
伝送パスを設定する際には、設定する伝送パスの内、迂回動作を禁止する部分を指定することにより、ＡＰＳ禁止の属性を付加した状態で、伝送パスの設定を行えるようになっている。ＮＭＥ１０においてオペレータが操作することにより、ＡＰＳ禁止の設定状況が管理テーブル６ａに記録される。そして、切替禁止制御部５ｂは、ＡＰＳ制御部５ａによる切替処理を、管理テーブル６ａの内容に基づいて部分的に禁止する。切替が禁止されるリソースの単位には、「セグメント」、「パス（カレントパス）」、「タイムスロット」などがある。さらに、例えば「或るセグメントにおける或るタイムスロット」というように、伝送リソースの最小単位に対して、切替禁止を設定することが可能である。伝送リソースの最小単位とは、具体的には、例えば図１２の管理テーブルにおいて点線の囲みで示される単位に相当する。
【００７２】
このような単位を指定する場合、オペレータは監視制御装置１０の表示部２５の画面上にて、マウスの左クリックでセグメントを、続く右クリックでタイムスロットを、というように順次指定すると良い。
【００７３】
また、パスの迂回動作の禁止の指定は、現用系伝送路だけに設定する方法、予備系伝送路だけに設定する方法、現用系伝送路と予備系伝送路を対応させて設定する方法等がある。
【００７４】
なお、パスの迂回動作禁止の指定は、ＮＭＥ１０においてオペレータが操作することにより、伝送パスの設定後に設定を解除することもできる。
【００７５】
（リソースに対する切替禁止の設定）
また、切替禁止の設定は、パスが存在しない場合にも実施されることができる。すなわち、監視制御装置１０の表示部２５の画面上にて、パスが存在しないリソースを指定し、このリソースにＡＰＳ禁止の設定を行うこともできる。つまり「伝送パスにＡＰＳ禁止の属性を付加する」のでなく、「リソースにＡＰＳ禁止の属性を付加する」ことも、パス生成処理部１１０ｄを実現する例えば機能プログラムを適宜書き換えることで可能である。このようにすれば、現時点でのパスの有無に拘わらずＡＰＳ禁止の設定を行えるので、運用上の利便性は更に大きくなる。
【００７６】
＜Diagnostics＞
次に、Diagnosticsと称される機能につき説明する。この機能は、監視制御装置１０に搭載されるアプリケーションとして、主として整合処理部１１０ｆにより実現される。
【００７７】
図９を参照して、ダイアグノーシスにつき概念的に説明する。ダイアグノーシス機能とは、各ノードＡ〜Ｄの管理テーブル６ａの相互間の統一性を診断し、整合が取れていなければ修正する機能である。ダイアグノーシス機能を使用するにあたり、基準データを持つノードが予め定められる。監視制御装置１０はこのノードから管理テーブル６ａをゲット（Ｇｅｔ）し、その内容を表示部２５にグラフィカルに表示する。オペレータは、この表示された内容を確認したのち、画面上のクリッカブルボタンをクリックして、ダイアグノーシス機能を動作させる。すると、監視制御装置１０は、管理テーブル６ａの内容が、上記ゲットした内容と整合の取れていないノードに対して正しいデータを送出する。これにより、管理テーブル６ａの内容が更新され、整合の取れたデータが記憶部６に記憶される。
【００７８】
図１０のフローチャートを参照して、ダイアグノーシスを実施する際の手順を説明する。図１０のステップＳ８で、監視制御装置１０は、管理テーブル６ａを含むパス情報を例えばノードＡから取得する。このノードＡが、上記基準データを持つノードである。次のステップＳ９でダイアグノーシス機能が起動されると、監視制御装置１０は他の全てのノードＢ〜Ｄから管理テーブル６ａを取得する。
【００７９】
次のステップＳ１０で、監視制御装置１０はノードＢ〜Ｄからそれぞれ取得した管理テーブル６ａの内容をノードＡのそれと比較し、全て整合していたなら（マッチ：Matchしていたなら）処理を終了する。一方、ひとつでも整合しない（アンマッチ：Un-match）ノードが有れば、次のステップＳ１１で監視制御装置１０は管理テーブル６ａを統一するか否かの指示を待つ。そして、与えられた指示が、統一する（Ｙｅｓ）であるならば、アンマッチを生じていたノードの管理テーブル６ａの内容を、ノードＡの管理テーブルの内容に統一する。
【００８０】
＜ＡＰＳ制御部５ａの処理手順＞
次に、本実施形態におけるＡＰＳ制御部５ａの処理手順を図１１のフローチャートを参照して説明する。図１１のステップＳ１で障害が検出されると、ＡＰＳ制御部５ａは、ステップＳ２で記憶部６のリングマップを参照し、ステップＳ３でファブリックを参照する。ここまでの手順は既知である。
【００８１】
ＡＰＳ制御部５ａは、ステップＳ４で記憶部６の管理テーブル６ａを参照する。その結果に基づき、ＡＰＳ制御部５ａは、切替処理の対象となるサービスパスが切替を禁止されているか否かを、ステップＳ５で判定する。この判定の結果、サービスパスが切替を禁止されていれば（Ｙｅｓ）、処理手順はステップＳ６に移行して、ＡＰＳ制御部５ａは切替処理を実施しない。一方、ステップＳ５において、サービスパスが切替を禁止されていなければ（Ｎｏ）、処理手順はステップＳ７に移行して、ＡＰＳ制御部５ａは切替処理を実施する。
【００８２】
なお本実施形態においては、図１１のステップＳ４、Ｓ５、Ｓ６、Ｓ７における処理が特徴的である。これらのステップは、本発明により新規に提案される手順である。
【００８３】
＜Concatenation Pathに関する説明＞
特に、パスを単位として切替処理が禁止される場合には、コンカチネーションパスを考慮することが可能である。すなわち、ＳＤＨ伝送システムでは、コンカチネーションパス（Concatenation Path）と称して、隣接する複数のタイムスロットを連結させた形態のパスが定義されている。例えばパスの基本単位をＡＵ−４（Administrative Unit 4）とすると、４個のＡＵ−４を連結したＡＵ−４ ４ｃ、または１６個のＡＵ−４を連結したＡＵ−４ １６ｃなどが有る。
【００８４】
本発明の思想は、この種のパスにも適用できる。すなわちパスを単位とした設定を行う実施形態においてコンカチネーションパスを指定した場合、このパスを形成するタイムスロットの全てにＡＰＳ禁止の設定をするようにすれば良い。つまり、隣接する複数のタイムスロットに渡って連結された伝送パス、すなわちコンカチネーションパスが指定されたオブジェクトを含む場合に、切替禁止制御部５ｂに、当該コンカチネーションパスに設定されたサービストラフィックが、ＡＰＳ制御部５ａによる切替処理により予備系伝送路ＰＬに迂回することを禁止させるようにする。
【００８５】
もちろん、コンカチネーションパスが現用系伝送路ＳＬに存在する場合、または予備系伝送路ＰＬに存在する場合のいずれの場合にも、上記の設定は可能である。
【００８６】
より具体的には、例えばノードＢ−Ｄ間のSRV系のタイムスロットＴＳ１〜ＴＳ４に、ＡＵ−４ ４ｃのコンカチネーションパスが存在し、ノードＢ−Ｄ間のPRT系のタイムスロットＴＳ２に、ＡＵ−４のパス（コンカチネーションパスではない）が存在するとする。このとき、PRT系の当該パスを流れるＰ／ＴトラフィックにＡＰＳ禁止が設定されたとする。そうすると、SRV系の対応するタイムスロットにコンカチネーションパスが有るために、SRVおよびPRTのいずれの伝送路においても、ＴＳ１〜ＴＳ４につき、リング切替およびスパン切替えが禁止される。
【００８７】
これとは逆に、ノードＢ−Ｄ間のPRT系のタイムスロットＴＳ１〜ＴＳ４に、ＡＵ−４ ４ｃのコンカチネーションパスが存在し、ノードＢ−Ｄ間のSRV系のタイムスロットＴＳ２に、ＡＵ−４のパス（コンカチネーションパスではない）が存在するとする。このとき、SRV系の当該パスを流れるサービストラフィックにＡＰＳ禁止の設定を行うと、PRT系の対応するタイムスロットにコンカチネーションパスが有るために、上記と同様に、SRVおよびPRTのいずれの伝送路においても、ＴＳ１〜ＴＳ４につきリング切替およびスパン切替えが禁止される。
【００８８】
なお上記設定を行う際のオペレータによるパスの選択は、コンカチネーションパスをクリックしても良いし、あるいはコンカチネーションパスでないパスをクリックしても良い。
【００８９】
以上をまとめると、パスを単位として切替禁止を設定するには、２通りのケースが有る。一方のケースは、設定の対象とするパスを形成するタイムスロットが、ただ一つの場合である。他方のケースは、設定の対象とするパスを形成するタイムスロットが、複数有る場合である。
【００９０】
＜切替の禁止が、セグメント単位に、かつ現用系伝送路ＳＬに対して設定される実施形態＞
（第１の実施形態）
次に、本発明の第１の実施形態につき説明する。この実施形態では、ＡＰＳによる切替の禁止が、セグメント単位に、かつ現用系伝送路ＳＬに対して設定される。
【００９１】
この実施形態では、指定処理部１１０ａにより、いずれかのセグメントにおける現用系伝送路ＳＬが任意に指定される。管理テーブル生成処理部１１０ｂは、指定処理部１１０ａで指定されたリソースを含む伝送パスに設定されたサービストラフィックが、ＡＰＳ制御部５ａにより予備系伝送路ＰＬに迂回させられることを禁止することを意味する管理テーブル６ａを、生成する。
【００９２】
図１３は、本実施形態において、オペレータにより監視制御装置１０の表示部２５を利用して実施されるオペレーションにつき説明するための図である。このオペレーションは、例えばマウスによるクリック操作などにより実施される。
【００９３】
図１３に示すように、オペレータは、表示部２５の画面上にてSRV系の任意のセグメントを指定する。ここではノードＣ、Ｄ間の現用系セグメント（セグメント▲１▼）が指定されている。このオペレーションののち、セット要求メッセージが各ノードＡ〜Ｄに送出される。
【００９４】
そうすると、セット要求メッセージが各ノードＡ〜Ｄにて受信され、必要な処理が施されたのち、図１４に示すような設定が実現される。ここでは、切替禁止の設定がSRV系のみに展開される状態が示される。ＡＰＳによる切替の禁止が設定されたセグメントにおけるトラフィック（符号▲１▼）のレストレーションは、抑制される。これにより、P/Tトラフィック（符号▲２▼）はトラフィック▲１▼に係わるスパン切替によってDropされなくなる。その結果、サービストラフィックとP/Tトラフィックとの優先度は、等しくなる。
【００９５】
図１２に、本実施形態における管理テーブル６ａを示す。この図から分かるように本実施形態では、ノードＤのEast側とノードＣのWest側の、全てのタイムスロットに渡ってスパン切替およびリング切替が禁止される。
【００９６】
次に、上記の設定がなされた場合のＡＰＳによる切替制御の具体例を、４つのケースに分けて説明する。
＜ケース１−１＞
このケースでは、図１５に示すようにノードＣ，Ｄ間の現用系伝送路ＳＬに障害が発生した場合を考える。このとき、HS Span Switchが実施されようとする。しかしながらセグメントＣＤにおける切替処理が禁止されているため、スパン切替によるサービストラフィックのレストレーションが実行されない。従って、符号▲１▼および▲２▼のトラフィック（パス）はDropされない。
【００９７】
なお以下の図では、図１５に示すように、障害、および障害により切断されるパスが（×）印で示される。HS Span SwitchによりDropされるＰ／Ｔパスが点線で示される。HS Ring SwitchによりDropされるＰ／Ｔパスが破線で示される。HS APSにより、その伝送経路がSRV系からPRT系に切り替わったパスが二重線で示される。
【００９８】
＜ケース１−２＞
このケースでは、図１６に示すようにノードＣ，Ｄ間における現用系伝送路ＳＬと予備系伝送路ＰＬとに障害が発生した場合を考える。このとき、HS Ring Switchが実施されようとする。しかしながらセグメントＣＤにおける切替処理が禁止されているため、このセグメントに関係するトラフィックのレストレーションが禁止される。すなわち、サービストラフィックはリング切替によってレストレーションされない。従って、符号▲１▼および▲２▼のトラフィック（パス）はDropされない。
【００９９】
＜ケース１−３＞
このケースでは、図１７に示すようにノードＡ，Ｂ間の現用系伝送路ＳＬに障害が発生した場合を考える。このとき、セグメントＡＢに関するＡＰＳ切替は禁じられていない。よってHS Span Switchが実施され、これによりセグメントＡＢのP/Tトラフィックがドロップされる。当該セグメントのサービストラフィックはPRT系にレストレーションされ、最終的に▲１▼および▲２▼に示される状態が実現される。
【０１００】
＜ケース１−４＞
このケースでは、図１８に示すようにノードＡ，Ｂ間における現用系伝送路ＳＬと予備系伝送路ＰＬとに障害が発生した場合を考える。このとき、セグメントＡＢに関するＡＰＳ切替は禁じられていない。よってHS Ring Switchが実施され、これによりセグメントＡＢ以外のセグメントのP/Tトラフィックがドロップされる。セグメントＡＢのサービストラフィックはPRT系にレストレーションされ、最終的に▲１▼および▲２▼に示される状態が実現される。
【０１０１】
＜切替の禁止が、伝送パス単位に、かつ現用系伝送路ＳＬに対して設定される実施形態＞
（第２の実施形態）
次に、本発明の第２の実施形態につき説明する。この実施形態では、ＡＰＳによる切替の禁止が、伝送パス単位に、かつ現用系伝送路ＳＬに対して設定される。
【０１０２】
この実施形態では、指定処理部１１０ａにより、現用系伝送路ＳＬのいずれかの伝送パスが任意に指定される。管理テーブル生成処理部１１０ｂは、指定処理部１１０ａで指定された伝送パスに設定されたサービストラフィックが、ＡＰＳ制御部５ａにより予備系伝送路ＰＬに迂回させられることを禁止することを意味する管理テーブル６ａを、生成する。
【０１０３】
図１９は、本実施形態において、オペレータにより監視制御装置１０の表示部２５を利用して実施されるオペレーションにつき説明するための図である。図１９に示すように、オペレータは、表示部２５の画面上にてSRV系の任意の伝送パスを指定する。ここではノードＢ−Ｄ間のタイムスロット１のパス（符号▲１▼）が指定されている。このオペレーションののち、セット要求メッセージが各ノードＡ〜Ｄに送出される。
【０１０４】
そうすると、セット要求メッセージが各ノードＡ〜Ｄにて受信され、必要な処理が施されたのち、図２０に示すような設定が実現される。ここでは、切替禁止の設定がSRV系のみに展開される状態が示される。ＡＰＳによる切替の禁止が設定されたパスにおけるトラフィック（符号▲１▼）のレストレーションは、抑制される。これにより、P/Tトラフィック（符号▲２▼）はトラフィック▲１▼に係わるスパン切替によってDropされなくなる。その結果、サービストラフィックとP/Tトラフィックとの優先度は、等しくなる。
【０１０５】
図２１に、本実施形態における管理テーブル６ａを示す。この図から分かるように本実施形態では、ノードＤのEast側、ノードＣのEast側およびWest側、ノードＢのWest側の、タイムスロットＴＳ１に限り、スパン切替およびリング切替が禁止される。
【０１０６】
次に、上記の設定がなされた場合のＡＰＳによる切替制御の具体例を、４つのケースに分けて説明する。
＜ケース２−１＞
このケースでは、図２２に示すようにノードＣ，Ｄ間の現用系伝送路ＳＬに障害が発生した場合を考える。このとき、ＴＳ１のノードＢ−Ｄ間のパスは、スパン切替によるレストレーションが実行されない。これに対し、ＴＳ２のノードＣ−Ｄ間のパスは、切替を禁止されていない。よって、このパスは予備系伝送路にレストレーションされ、サービストラフィックがPRT系に切り替えられる。すなわち、符号▲２▼のP/Tパスはドロップされるが、符号▲１▼のP/TトラフィックはDropされない。
【０１０７】
＜ケース２−２＞
このケースでは、図２３に示すようにノードＣ，Ｄ間における現用系伝送路ＳＬと予備系伝送路ＰＬとに障害が発生した場合を考える。このときノードＢ−Ｄ間のＴＳ１のサービストラフィックは救済されない。これに対し、ノードＣ−Ｄ間のＴＳ２のサービストラフィックに関して、リング切替が実施される。すなわち、ＴＳ２のPRT系における、セグメントＣＤ以外のセグメントの、P/Tトラフィックが全てドロップされる。そして、P/Tトラフィックがドロップされたリソースに、ノードＣ−Ｄ間のＴＳ２におけるサービストラフィックが迂回してくる。すなわち▲１▼のトラフィックがドロップされないのに対し、▲２▼のトラフィックはドロップされる。
【０１０８】
＜ケース２−３＞
このケースでは、図２４に示すようにノードＡ，Ｂ間の現用系伝送路ＳＬに障害が発生した場合を考える。このとき、セグメントＡＢに関するＡＰＳ切替は禁じられていない。よってHS Span Switchが実施され、セグメントＡＢのP/Tトラフィックがドロップされる。このセグメントのサービストラフィックはPRT系にレストレーションされ、符号▲１▼および▲２▼に示す状態が実現される。
【０１０９】
＜ケース２−４＞
このケースでは、図２５に示すようにノードＡ，Ｂ間における現用系伝送路ＳＬと予備系伝送路ＰＬとに障害が発生した場合を考える。このとき、セグメントＡＢに関するＡＰＳ切替は禁じられていない。よってHS Ring Switchが実施され、セグメントＡＢ以外のセグメントのP/Tトラフィックがドロップされる。セグメントＡＢのサービストラフィックはPRT系にレストレーションされ、符号▲１▼および▲２▼に示す状態が実現される。
【０１１０】
＜切替の禁止が、タイムスロット単位に、かつ現用系伝送路ＳＬに対して設定される実施形態＞
（第３の実施形態）
次に、本発明の第３の実施形態につき説明する。この実施形態では、ＡＰＳによる切替の禁止が、タイムスロット単位に、かつ現用系伝送路ＳＬに対して設定される。
【０１１１】
この実施形態では、指定処理部１１０ａにより、現用系伝送路ＳＬのいずれかのタイムスロットが任意に指定される。管理テーブル生成処理部１１０ｂは、指定処理部１１０ａで指定されたリソースに設定されたサービストラフィックが、ＡＰＳ制御部５ａにより予備系伝送路ＰＬに迂回させられることを禁止することを意味する管理テーブル６ａを、生成する。
【０１１２】
図２６は、本実施形態において、オペレータにより監視制御装置１０の表示部２５を利用して実施されるオペレーションにつき説明するための図である。図２６に示すように、オペレータは、表示部２５の画面上にてSRV系の任意のタイムスロットを指定する。ここではタイムスロット１が指定されている。このオペレーションののち、セット要求メッセージが各ノードＡ〜Ｄに送出される。
【０１１３】
そうすると、セット要求メッセージが各ノードＡ〜Ｄにて受信され、必要な処理が施されたのち、図２７に示すような設定が実現される。ここでは、切替禁止の設定がSRV系のみに展開される状態が示される。ＡＰＳによる切替の禁止が設定されたタイムスロットにおけるトラフィック（符号▲１▼）のレストレーションは、抑制される。これにより、P/Tトラフィック（符号▲２▼）はトラフィック▲１▼に係わるスパン切替によってDropされなくなる。その結果、サービストラフィックとP/Tトラフィックとの優先度は、等しくなる。
【０１１４】
図２８に、本実施形態における管理テーブル６ａを示す。この図から分かるように本実施形態では、全てのノードＡ〜ＤのEast側およびWest側において、ＴＳ１に限り、スパン切替およびリング切替が禁止される。
【０１１５】
次に、上記の設定がなされた場合のＡＰＳによる切替制御の具体例を、４つのケースに分けて説明する。
＜ケース３−１＞
このケースでは、図２９に示すようにノードＣ，Ｄ間の現用系伝送路ＳＬに障害が発生した場合を考える。このとき、ＴＳ１におけるパスを流れるサービストラフィックは、スパン切替によりレストレーションされない。これに対し、ＴＳ２のノードＣ−Ｄ間のパスは切替が禁止されていない。よって、スパン切替が実行され、サービストラフィックの伝送ルートはPRT系に切り替えられる。すなわち▲２▼のP/Tパスはドロップされるが、▲１▼のP/Tトラフィック（パス）はDropされない。
【０１１６】
＜ケース３−２＞
このケースでは、図３０に示すようにノードＣ，Ｄ間における現用系伝送路ＳＬと予備系伝送路ＰＬとに障害が発生した場合を考える。このとき、ＴＳ１のサービストラフィックは救済されない。これに対し、ノードＣ−Ｄ間のＴＳ２におけるサービストラフィックは、リング切替により救済される。セグメントＣＤ以外のセグメントの、PRT系におけるＴＳ２のP/Tトラフィックが、全てドロップされる。そして、P/Tトラフィックがドロップされたリソースに、ノードＣ−Ｄ間のＴＳ２のサービストラフィックが迂回してくる。すなわち▲１▼のトラフィックがドロップされないのに対し、▲２▼のトラフィックはドロップされる。
【０１１７】
＜ケース３−３＞
このケースでは、図３１に示すようにノードＡ，Ｂ間の現用系伝送路ＳＬに障害が発生した場合を考える。このとき、ＴＳ１におけるパスは、スパン切替によりレストレーションされない。これに対し、ＴＳ２のパスに関するＡＰＳ切替は禁じられていない。よって、ＴＳ２に関してはHS Span Switchが実施され、セグメントＡＢのＴＳ２におけるP/Tトラフィックがドロップされる。これにより、このセグメントのＴＳ２におけるサービストラフィックはPRT系にレストレーションされ、符号▲１▼および▲２▼に示す状態が実現される。
【０１１８】
＜ケース３−４＞
このケースでは、図３２に示すようにノードＡ，Ｂ間における現用系伝送路ＳＬと予備系伝送路ＰＬとに障害が発生した場合を考える。このとき、ＴＳ１のサービストラフィックは救済されない。これに対し、セグメントＡＢのＴＳ２におけるサービストラフィックに関しては、ＡＰＳ切替が動作する。よって、HS Ring Switchが実施され、ＴＳ２において、セグメントＡＢ以外のセグメントのP/Tトラフィックがドロップされる。これにより、セグメントＡＢのＴＳ２におけるサービストラフィックはPRT系にレストレーションされ、符号▲１▼および▲２▼に示す状態が実現される。すなわち、符号▲２▼のP/Tトラフィックがドロップされるのに対して、符号▲１▼のP/Tトラフィックはドロップされない。
【０１１９】
＜切替の禁止が、伝送リソースの最小単位に、かつ現用系伝送路ＳＬに対して設定される実施形態＞
（第４の実施形態）
次に、本発明の第４の実施形態につき説明する。この実施形態では、ＡＰＳによる切替の禁止が、伝送リソースの最小単位に、かつ現用系伝送路ＳＬに対して設定される。
【０１２０】
この実施形態では、指定処理部１１０ａにより、現用系伝送路ＳＬにおける任意のセグメントの、いずれかのタイムスロットが任意に指定される。管理テーブル生成処理部１１０ｂは、指定処理部１１０ａで指定されたリソースを含む伝送パスに設定されたサービストラフィックが、ＡＰＳ制御部５ａにより予備系伝送路ＰＬに迂回させられることを禁止することを意味する管理テーブル６ａを、生成する。
【０１２１】
図３３は、本実施形態において、オペレータにより監視制御装置１０の表示部２５を利用して実施されるオペレーションにつき説明するための図である。図３３に示すように、オペレータは、表示部２５の画面上にてSRV系の任意の最小単位を指定する。ここではノードＢ−Ｃ間の最小単位（符号▲１▼）が指定されている。このオペレーションののち、セット要求メッセージが各ノードＡ〜Ｄに送出される。
【０１２２】
そうすると、セット要求メッセージが各ノードＡ〜Ｄにて受信され、必要な処理が施されたのち、図３４に示すような設定が実現される。ここでは、切替禁止の設定がSRV系のみに展開される状態が示される。ＡＰＳによる切替の禁止が設定された単位におけるトラフィック（符号▲１▼）のレストレーションは、抑制される。これにより、P/Tトラフィック（符号▲２▼）はトラフィック▲１▼に係わるスパン切替によってDropされなくなる。その結果、サービストラフィックとP/Tトラフィックとの優先度は、等しくなる。
【０１２３】
図３５に、本実施形態における管理テーブル６ａを示す。この図から分かるように本実施形態では、ノードＤのEast側、ノードＣのEast側の、タイムスロットＴＳ１に限り、スパン切替およびリング切替が禁止される。
【０１２４】
次に、上記の設定がなされた場合のＡＰＳによる切替制御の具体例を、４つのケースに分けて説明する。
＜ケース４−１＞
このケースでは、図３６に示すようにノードＣ，Ｄ間の現用系伝送路ＳＬに障害が発生した場合を考える。このとき、ＴＳ１のノードＢ−Ｄ間のパスは、スパン切替によるレストレーションが実行されない。これに対し、ＴＳ２のノードＣ−Ｄ間のパスは、切替を禁止されていない。よって、このパスは予備系伝送路にレストレーションされ、サービストラフィックがPRT系に切り替えられる。すなわち、符号▲２▼のP/Tパスはドロップされるが、符号▲１▼のP/TトラフィックはDropされない。
【０１２５】
＜ケース４−２＞
このケースでは、図３７に示すようにノードＣ，Ｄ間における現用系伝送路ＳＬと予備系伝送路ＰＬとに障害が発生した場合を考える。このときノードＢ−Ｄ間のＴＳ１のサービストラフィックは救済されない。これに対し、ノードＣ−Ｄ間のＴＳ２のサービストラフィックに関して、リング切替が実施される。すなわち、ＴＳ２のPRT系における、セグメントＣＤ以外のセグメントの、P/Tトラフィックが全てドロップされる。そして、P/Tトラフィックがドロップされたリソースに、ノードＣ−Ｄ間のＴＳ２におけるサービストラフィックが迂回してくる。すなわち▲１▼のトラフィックがドロップされないのに対し、▲２▼のトラフィックはドロップされる。
【０１２６】
＜ケース４−３＞
このケースでは、図３８に示すようにノードＡ，Ｂ間の現用系伝送路ＳＬに障害が発生した場合を考える。このとき、セグメントＡＢに関するＡＰＳ切替は禁じられていない。よってHS Span Switchが実施され、セグメントＡＢのP/Tトラフィックがドロップされる。このセグメントのサービストラフィックはPRT系にレストレーションされ、符号▲１▼および▲２▼に示す状態が実現される。
【０１２７】
＜ケース４−４＞
このケースでは、図３９に示すようにノードＡ，Ｂ間における現用系伝送路ＳＬと予備系伝送路ＰＬとに障害が発生した場合を考える。このとき、セグメントＡＢに関するＡＰＳ切替は禁じられていない。よってHS Ring Switchが実施され、セグメントＡＢ以外のセグメントのP/Tトラフィックがドロップされる。セグメントＡＢのサービストラフィックはPRT系にレストレーションされ、符号▲１▼および▲２▼に示す状態が実現される。
【０１２８】
＜切替の禁止が、セグメント単位で、かつ現用系伝送路ＳＬおよび予備系伝送路ＰＬに対して設定される実施形態＞
（第５の実施形態）
次に、本発明の第５の実施形態につき説明する。この実施形態では、ＡＰＳによる切替の禁止が、セグメント単位で、かつ現用系伝送路ＳＬおよび予備系伝送路ＰＬに対して設定される。
【０１２９】
この実施形態では、指定処理部１１０ａにより、現用系伝送路ＳＬのいずれかのセグメントが任意に指定される。管理テーブル生成処理部１１０ｂは、指定処理部１１０ａで指定されたリソースを含む伝送パスに設定されたサービストラフィックが、ＡＰＳ制御部５ａにより予備系伝送路ＰＬに迂回させられることを禁止することを意味する管理テーブル６ａを、生成する。また管理テーブル生成処理部１１０ｂは、現用系伝送路ＳＬにおけるどのサービストラフィックも、指定されたセグメントの予備系伝送路ＰＬに迂回することを禁止される旨を、管理テーブル６ａに記述する。
【０１３０】
図４０は、本実施形態において、オペレータにより監視制御装置１０の表示部２５を利用して実施されるオペレーションにつき説明するための図である。図４０に示すように、オペレータは、表示部２５の画面上にてSRV系の任意のセグメントを指定する。ここではノードＣ、Ｄ間の現用系セグメントが指定されている。このオペレーションののち、セット要求メッセージが各ノードＡ〜Ｄに送出される。
【０１３１】
そうすると、セット要求メッセージが各ノードＡ〜Ｄにて受信され、必要な処理が施されたのち、図４１に示すような設定が実現される。この図には、切替禁止の設定が、SRV系だけでなくPRT系にも展開される状態が示される。ＡＰＳによる切替の禁止が設定されたセグメント（符号▲１▼）のトラフィックのレストレーションは、抑制される。これにより、符号▲２▼のセグメントに関係するP/TトラフィックはDropされなくなる。その結果、サービストラフィックとP/Tトラフィックとの優先度は、等しくなる。
【０１３２】
図４２に、本実施形態における管理テーブル６ａを示す。図１２と比較しつつ説明する。図４２のテーブルは、ノードＤのEast側とノードＣのWest側の、全てのタイムスロットに渡ってスパン切替およびリング切替が禁止される点において、図１２のテーブルと同様である。
【０１３３】
また本実施形態では、PRT系のセグメントＣＤのP/Tパスがドロップされることが、積極的に禁止される。このことは、全てのセグメントにおけるリング切替が禁止されることを意味する。従って、図４２のテーブルの内容もそれを反映したものとなっている。すなわち、リング切替が全てのセグメントに渡り禁止される旨のビット１が記述されている。
【０１３４】
次に、上記の設定がなされた場合のＡＰＳによる切替制御の具体例を、４つのケースに分けて説明する。
＜ケース５−１＞
このケースでは、図４３に示すようにノードＣ，Ｄ間の現用系伝送路ＳＬに障害が発生した場合を考える。このとき、HS Span Switchが実施されようとする。しかしながらセグメントＣＤにおける切替処理が禁止されているため、スパン切替によるサービストラフィックのレストレーションが実行されない。従って、符号▲１▼および▲２▼のトラフィック（パス）はDropされない。
【０１３５】
＜ケース５−２＞
このケースでは、図４４に示すようにノードＣ，Ｄ間における現用系伝送路ＳＬと予備系伝送路ＰＬとに障害が発生した場合を考える。このとき、HS Ring Switchが実施されようとする。しかしながらセグメントＣＤにおける切替処理が禁止されているため、このセグメントに関係するトラフィックのレストレーションが禁止される。これにより、サービストラフィックはリング切替によってレストレーションされない。従って、符号▲１▼および▲２▼のトラフィック（パス）はDropされない。
【０１３６】
＜ケース５−３＞
このケースでは、図４５に示すようにノードＡ，Ｂ間の現用系伝送路ＳＬに障害が発生した場合を考える。このとき、セグメントＡＢに関するスパン切替は禁じられていないため、HS Span Switchが実施される。これによりセグメントＡＢのP/Tトラフィックがドロップされ、当該セグメントのサービストラフィックはPRT系にレストレーションされる。従って、符号▲１▼および▲２▼に示す状態が実現される。
【０１３７】
＜ケース５−４＞
このケースでは、図４６に示すようにノードＡ，Ｂ間における現用系伝送路ＳＬと予備系伝送路ＰＬとに障害が発生した場合を考える。このとき、本来ならHS Ring Switchが実施され、セグメントＡＢ以外のセグメントのP/Tトラフィックがドロップされる。しかしながら本実施形態では、セグメントＣＤの予備系伝送路ＰＬのトラフィックがドロップされることが禁止されている。このことから、セグメントＡＢのスパン切り替えが許されていようとも、セグメントＡＢの障害に係わるリング切替が必然的に禁止される。従って、セグメントＡＢのサービストラフィックは救済されず、またP/Tトラフィックはドロップされないままの状態となる。
【０１３８】
＜切替の禁止が、伝送パス単位で、かつ現用系伝送路ＳＬおよび予備系伝送路ＰＬに対して設定される実施形態＞
（第６の実施形態）
次に、本発明の第６の実施形態につき説明する。この実施形態では、ＡＰＳによる切替の禁止が、伝送パス単位で、かつ現用系伝送路ＳＬおよび予備系伝送路ＰＬに対して設定される。
【０１３９】
この実施形態では、指定処理部１１０ａにより、現用系伝送路ＳＬのいずれかの伝送パスが任意に指定される。管理テーブル生成処理部１１０ｂは、指定処理部１１０ａで指定されたリソースを含む伝送パスに設定されたサービストラフィックが、ＡＰＳ制御部５ａにより予備系伝送路ＰＬに迂回させられることを禁止することを意味する管理テーブル６ａを、生成する。また管理テーブル生成処理部１１０ｂは、現用系伝送路ＳＬのどのサービストラフィックも、指定された伝送パスに対応する予備系伝送路ＰＬ側のリソースに迂回することを禁じられる旨を、管理テーブル６ａに記述する。
【０１４０】
図４７は、本実施形態において、オペレータにより監視制御装置１０の表示部２５を利用して実施されるオペレーションにつき説明するための図である。図４７に示すように、オペレータは表示部２５の画面上にてSRV系の任意の伝送パスを、指定する。ここではノードＢ−Ｄ間のタイムスロット１のパス（符号▲１▼）が指定されている。このオペレーションののち、セット要求メッセージが各ノードＡ〜Ｄに送出される。
【０１４１】
そうすると、セット要求メッセージが各ノードＡ〜Ｄにて受信され、必要な処理が施されたのち、図４８に示すような設定が実現される。この図には、切替禁止の設定が、SRV系だけでなくPRT系にも展開される状態が示される。図４８において、まず▲１▼と対になる▲２▼のリソースに対して切替禁止の設定が展開される。このとき、▲２▼および▲３▼のリソースにトラフィックが存在する場合には、▲３▼のリソースに対しても切替禁止の設定が水平展開される。さらに、▲３▼のリソースに設定が展開されたことにより、▲４▼のリソースに対しても切替禁止の設定が展開される。
【０１４２】
以上の展開によって、▲１▼〜▲４▼のリソースに関係するTrafficは、リング切替およびスパン切替のいずれによってもDropされなくなる。なお▲５▼のリソースにTrafficが存在する場合、▲１▼〜▲４▼のリソースに設定が展開されることから、▲５▼のリソースに関係するTrafficはリング切替によってDropされなくなる。以上の設定によりサービストラフィックとPRT Trafficの優先度が等しくなる。
【０１４３】
なお本実施形態では、セット要求受付処理部５ｃにより、監視制御装置１０からのセット要求メッセージに含まれる管理テーブル６ａの内容が展開される。いわば、セット要求受付処理部５ｃにより、管理テーブル６ａの内容が拡大解釈される。これにより、監視制御装置１０における設定を拡張した内容の管理テーブル６ａが記憶部６に記憶される点に、本実施形態の特徴がある。すなわち、本実施形態においては、ＡＰＳによる切替の禁止が、トラフィックを意識しつつ、設定される。
【０１４４】
図４９に、本実施形態における管理テーブル６ａを示す。図２１と比較しつつ説明する。図４９のテーブルは、ＴＳ１における、ノードＤのEast側、ノードＣのEast側およびWest側、および、ノードＢのWest側に関わる、スパン切替およびリング切替が禁止される点において、図２１のテーブルと同様である。また、PRT系におけるノードＢ−Ｄ間のP/Tがドロップされないことから、ＴＳ１の全てのセグメントに対してリング切替が禁止される。従って、図４９のテーブルにおいても、ＴＳ１に限り全てのセグメントのリング切替を禁止する旨のビット１が記述される。
【０１４５】
さらに、本実施形態の特徴的な点は、図４９のテーブルにおいて、ノードＢのEast側、およびノードＡのWest側にスパン切替を禁止する旨のビット１が記述されることである。このことは、管理テーブル６ａの内容が、ノードＡ〜Ｄにおいて展開されたことによるもので、図４８を用いて説明した内容に対応する。
【０１４６】
次に、上記の設定がなされた場合のＡＰＳによる切替制御の具体例を、４つのケースに分けて説明する。
＜ケース６−１＞
このケースでは、図５０に示すようにノードＣ，Ｄ間の現用系伝送路ＳＬに障害が発生した場合を考える。このとき、ＴＳ１のノードＢ−Ｄ間のパスは、スパン切替によりレストレーションされない。これに対し、ＴＳ２のノードＣ−Ｄ間のパスは切替が禁止されていないので、スパン切替によりレストレーションされる。よってサービストラフィックの伝送経路は、PRT系に切り替えられる。すなわち符号▲２▼のP/Tパスはドロップされるが、符号▲１▼のP/Tトラフィック（パス）はDropされない。
【０１４７】
＜ケース６−２＞
このケースでは、図５１に示すようにノードＣ，Ｄ間における現用系伝送路ＳＬと予備系伝送路ＰＬとに障害が発生した場合を考える。このときノードＢ−Ｄ間のＴＳ１のサービストラフィックは救済されない。これに対し、ノードＣ−Ｄ間のＴＳ２のサービストラフィックは、リング切替により救済される。すなわち、ＴＳ２のPRT系における、セグメントＣＤ以外のセグメントの、P/Tトラフィックが全てドロップされる。そして、P/Tトラフィックがドロップされたリソースに、ノードＣ−Ｄ間のＴＳ２におけるサービストラフィックが迂回してくる。すなわち▲１▼のトラフィックがドロップされないのに対し、▲２▼のトラフィックはドロップされる。
【０１４８】
＜ケース６−３＞
このケースでは、図５２に示すようにノードＡ，Ｂ間の現用系伝送路ＳＬに障害が発生した場合を考える。このとき、セグメントＡＢのＴＳ１のスパン切り替えが禁止されているため、PRT系のＴＳ１のノードＡ−Ｃ間のP/Tトラフィックはドロップされない。これに対し、セグメントＡＢのＴＳ２のスパン切り替えは禁止されていないので、HS Span Switchが実施される。これにより、セグメントＡＢのＴＳ２のP/Tトラフィックがドロップされ、当該セグメントのＴＳ２のサービストラフィックがPRT系にレストレーションされる。従って、符号▲１▼および▲２▼に示す状態が実現される。
【０１４９】
＜ケース６−４＞
このケースでは、図５３に示すようにノードＡ，Ｂ間における現用系伝送路ＳＬと予備系伝送路ＰＬとに障害が発生した場合を考える。このとき、ＴＳ１に関してはリング切替えが禁止されているので、SRV系のＴＳ１のトラフィックは動かない。一方、ＴＳ２のセグメントＡＢに関するリング切替は禁止されていない。よってHS Ring Switchが実施され、セグメントＡＢ以外のセグメントのP/Tトラフィックがドロップされ、セグメントＡＢのサービストラフィックがPRT系にレストレーションされる。従って、符号▲１▼および▲２▼に示す状態が実現される。
【０１５０】
＜切替の禁止が、伝送パス単位に、かつ現用系伝送路ＳＬに対して設定される実施形態＞
（第７の実施形態）
次に、本発明の第７の実施形態につき説明する。この実施形態では、ＡＰＳによる切替の禁止が、伝送パス単位で、かつ現用系伝送路ＳＬおよび予備系伝送路ＰＬに対して設定される。
【０１５１】
この実施形態では、指定処理部１１０ａにより、現用系伝送路ＳＬのいずれかの伝送パスが任意に指定される。管理テーブル生成処理部１１０ｂは、指定処理部１１０ａで指定された伝送パスに設定されたサービストラフィックが、ＡＰＳ制御部５ａにより予備系伝送路ＰＬに迂回させられることを禁止することを意味する管理テーブル６ａを、生成する。また管理テーブル生成処理部１１０ｂは、現用系伝送路ＳＬのどのサービストラフィックも、指定された伝送パスに対応する予備系伝送路ＰＬ側のリソースに迂回することを禁じられる旨を、管理テーブル６ａに記述する。
【０１５２】
この実施形態においては、オペレータにより監視制御装置１０の表示部２５を利用して実施されるオペレーションは、第６の実施形態と同様である。すなわち図４７を用いて説明されたのと同様のオペレーションが実施される。
【０１５３】
第６の実施形態においては、ＡＰＳによる切替の禁止が、「トラフィックを意識する処理」により設定された。これに対し本実施形態では、ＡＰＳによる切替の禁止が、「トラフィックを意識しない処理」により設定される。これら２つの実施形態は、この点において異なる。このことを、図５４の管理テーブルを参照して図４８と比較しつつ説明する。
【０１５４】
この実施形態においては、セット要求メッセージを受けたノードＡ〜Ｄにおいて、符号▲１▼と対になる符号▲２▼のリソースに対して切替禁止の設定が展開される。この点については第６の実施形態と変わらない。しかしながらこの実施形態においては、符号▲２▼および▲３▼のリソースにトラフィックが存在するにも拘わらず、符号▲３▼のリソースに対して切替禁止の設定が水平展開されない。従って、▲３▼のリソースに関するスパン切り替えは、許可される。さらにこのスパン切替が許可されることにより、符号▲４▼のリソースに対して切替禁止の設定が展開されない。従って、符号▲４▼のリソースに関するスパン切り替えも、許可される。
【０１５５】
以上をまとめると、符号▲１▼、▲２▼のリソースを介して伝送されるTrafficは、リング切替、およびスパン切替のいずれによってもDropされない。また符号▲３▼、▲４▼のリソースを介して伝送されるTrafficは、リング切替によってはDropされないが、スパン切替によってはDropされる。また▲５▼のリソースにTrafficが存在した場合、このトラフィックは、リング切替によるDropを禁止される。以上の設定により、サービストラフィックとPRT Trafficの優先度が等しくなる。
【０１５６】
図５４に、この実施形態における管理テーブル６ａを示す。図４９との違いは、ノードＢのEast側、およびノードＡのWest側に、スパン切替が許可されている点にある。つまりこのリソースに対応するセルに、ビット１が記述されていない。これは、ＡＰＳによる切替禁止が、トラフィックが意識されない状態で設定されたことによる。
【０１５７】
この実施形態における作用につき、より具体的に説明する。図５５は、本実施形態において、オペレータにより監視制御装置１０の表示部２５を利用して実施されるオペレーションにつき説明するための図である。図５５に示すように、オペレータは表示部２５の画面上にてSRV系の任意の伝送パスを、指定する。ここではノードＢ−Ｄ間のタイムスロット１のパス（符号▲１▼）が指定されている。このオペレーションののち、セット要求メッセージが各ノードＡ〜Ｄに送出される。
【０１５８】
そうすると、セット要求メッセージが各ノードＡ〜Ｄにて受信され、必要な処理が施されたのち、図５６に示すような設定が実現される。この図には、切替禁止の設定が、SRV系だけでなくPRT系にも展開される状態が示される。図５６において、まず符号▲１▼と対になる▲２▼のリソースに対して、切替禁止の設定が展開される。このとき、符号▲２▼および▲３▼のリソースにトラフィックが存在しても、切替禁止の設定は、▲３▼のリソース水平展開されない。以上の展開により、符号▲１▼、▲２▼のセグメントを介して伝送されるTrafficは、Ring切替、およびスパン切替のいずれによってもDropされなくなる。
【０１５９】
次に、上記の設定がなされた場合のＡＰＳによる切替制御の具体例を、４つのケースに分けて説明する。
＜ケース７−１＞
このケースでは、図５７に示すようにノードＣ，Ｄ間の現用系伝送路ＳＬに障害が発生した場合を考える。このとき、ＴＳ１のノードＢ−Ｄ間のパスを流れるトラフィックは救済されない。これに対し、ＴＳ２のノードＣ−Ｄ間のパスを流れるトラフィックは、スパン切替によりPRT系にレストレーションされる。すなわち▲２▼のP/Tパスはドロップされるが、▲１▼のP/Tトラフィック（パス）はDropされない。
【０１６０】
＜ケース７−２＞
このケースでは、図５８に示すようにノードＣ，Ｄ間における現用系伝送路ＳＬと予備系伝送路ＰＬとに障害が発生した場合を考える。このときノードＢ−Ｄ間のＴＳ１のサービストラフィックは救済されない。これに対し、ノードＣ−Ｄ間のＴＳ２のサービストラフィックに関して、リング切替が実施される。すなわちＴＳ２のPRT系における、セグメントＣＤ以外のセグメントの、P/Tトラフィックが全てドロップされる。そして、P/Tトラフィックがドロップされたリソースに、ノードＣ−Ｄ間のＴＳ２におけるサービストラフィックが迂回してくる。すなわち▲１▼のトラフィックがドロップされないのに対し、▲２▼のトラフィックはドロップされる。
【０１６１】
＜ケース７−３＞
このケースでは、図５９に示すようにノードＡ，Ｂ間の現用系伝送路ＳＬに障害が発生した場合を考える。このとき、セグメントＡＢのＴＳ１においては、スパン切り替えが禁止されていない。よってHS Span Switchが実施され、セグメントＡＢのＴＳ１のP/Tトラフィックがドロップされる。このセグメントのＴＳ１のサービストラフィックは、PRT系にレストレーションされる。
【０１６２】
また、セグメントＡＢのＴＳ２においても、スパン切り替えは禁止されていない。よってHS Span Switchが実施され、セグメントＡＢのＴＳ２のP/Tトラフィックがドロップされる。このセグメントのＴＳ２のサービストラフィックは、PRT系にレストレーションされる。このようにして、符号▲１▼および▲２▼に示される状態が実現される。
【０１６３】
＜ケース７−４＞
このケースでは、図６０に示すようにノードＡ，Ｂ間における現用系伝送路ＳＬと予備系伝送路ＰＬとに障害が発生した場合を考える。このとき、ＴＳ１におけるリング切替えが禁止されているので、SRV系のＴＳ１におけるトラフィックは動かない。一方、ＴＳ２のセグメントＡＢにおいては、リング切替は禁止されていない。よってHS Ring Switchが実施され、セグメントＡＢ以外のセグメントのP/Tトラフィックがドロップされる。そして、セグメントＡＢにおけるサービストラフィックはPRT系にレストレーションされ、符号▲１▼および▲２▼に示す状態が実現される。
【０１６４】
＜切替の禁止が、タイムスロット単位で、かつ現用系伝送路ＳＬおよび予備系伝送路ＰＬに対して設定される実施形態＞
（第８の実施形態）
次に、本発明の第８の実施形態につき説明する。この実施形態では、ＡＰＳによる切替の禁止が、タイムスロット単位で、かつ現用系伝送路ＳＬおよび予備系伝送路ＰＬに対して設定される。
【０１６５】
この実施形態では、指定処理部１１０ａにより、現用系伝送路ＳＬのいずれかのタイムスロットが任意に指定される。管理テーブル生成処理部１１０ｂは、指定処理部１１０ａで指定されたタイムスロットに設定されたサービストラフィックが、ＡＰＳ制御部５ａにより予備系伝送路ＰＬに迂回させられることを禁止することを意味する管理テーブル６ａを、生成する。また管理テーブル生成処理部１１０ｂは、現用系伝送路ＳＬにおけるどのサービストラフィックも、指定されたタイムスロットの予備系伝送路ＰＬに迂回することを禁止じられる旨を、管理テーブル６ａに記述する。
【０１６６】
図６１は、本実施形態において、オペレータにより監視制御装置１０の表示部２５を利用して実施されるオペレーションにつき説明するための図である。図６１に示すように、オペレータは、表示部２５の画面上にてSRV系の任意のタイムスロットを、指定する。ここではタイムスロット１が指定されている。このオペレーションののち、セット要求メッセージが各ノードＡ〜Ｄに送出される。
【０１６７】
そうすると、セット要求メッセージが各ノードＡ〜Ｄにて受信され、必要な処理が施されたのち、図６２に示すような設定が実現される。この図には、切替禁止の設定が、SRV系だけでなくPRT系にも展開される状態が示される。ＡＰＳによる切替の禁止が設定されたタイムスロットを介して伝送されるトラフィック（符号▲１▼）のレストレーションは、抑制される。これにより、P/Tトラフィック（符号▲２▼）はパス▲１▼のスパン切替およびリング切替のいずれによってもDropされなくなる。その結果、両トラフィックの優先度が等しくなる。
【０１６８】
図６３に、本実施形態における管理テーブル６ａの内容を示す。図６３の管理テーブル６ａは、図２８に示されるテーブルと全く同様の内容となる。全てのノードＡ〜ＤのEast側およびWest側に対して、ＴＳ１に限り、スパン切替およびリング切替が禁止されるからである。
【０１６９】
次に、上記の設定がなされた場合のＡＰＳによる切替制御の具体例を、４つのケースに分けて説明する。
＜ケース８−１＞
このケースでは、図６４に示すようにノードＣ，Ｄ間の現用系伝送路ＳＬに障害が発生した場合を考える。このとき、ＴＳ１のパスはスパン切替により予備系側にレストレーションされない。これに対し、ＴＳ２のノードＣ−Ｄ間のパスは切替が禁止されていないので、スパン切替によりPRT系に切り替えられる。すなわち▲２▼のP/Tパスはドロップされるが、▲１▼のP/Tトラフィック（パス）はDropされない。
【０１７０】
＜ケース８−２＞
このケースでは、図６５に示すようにノードＣ，Ｄ間における現用系伝送路ＳＬと予備系伝送路ＰＬとに障害が発生した場合を考える。このとき、ＴＳ１のサービストラフィックは救済されない。これに対し、ノードＣ−Ｄ間のＴＳ２のサービストラフィックはリング切替により救済される。すなわち、PRT系のＴＳ２におけるセグメントＣＤ以外のセグメントのP/Tトラフィックは、全てドロップされる。そして、P/Tトラフィックのドロップされたリソースに、ノードＣ−Ｄ間のＴＳ２のサービストラフィックが迂回してくる。すなわち▲１▼のトラフィックがドロップされないのに対し、▲２▼のトラフィックはドロップされる。
【０１７１】
＜ケース８−３＞
このケースでは、図６６に示すようにノードＡ，Ｂ間の現用系伝送路ＳＬに障害が発生した場合を考える。このとき、ＴＳ１におけるパスは、スパン切替によりサービストラフィックのレストレーションが実施されない。これに対し、ＴＳ２のパスに関するＡＰＳ切替は禁じられていない。よってＴＳ２に関してはHS Span Switchが実施され、セグメントＡＢのＴＳ２におけるP/Tトラフィックがドロップされる。そして、このセグメントのＴＳ２におけるサービストラフィックはPRT系にレストレーションされ、その結果、符号▲１▼および▲２▼に示す状態が実現される。
【０１７２】
＜ケース８−４＞
このケースでは、図６７に示すようにノードＡ，Ｂ間における現用系伝送路ＳＬと予備系伝送路ＰＬとに障害が発生した場合を考える。このとき、ＴＳ１のサービストラフィックは救済されない。これに対し、セグメントＡＢのＴＳ２のサービストラフィックは、ＡＰＳ切替により救済される。よってHS Ring Switchが実施され、ＴＳ２において、セグメントＡＢ以外のセグメントのP/Tトラフィックがドロップされる。そして、ＴＳ２のセグメントＡＢにおけるサービストラフィックは、PRT系にレストレーションされる。その結果、符号▲１▼および▲２▼に示す状態が実現される。すなわち▲２▼のP/Tトラフィックがドロップされるのに対して▲１▼のP/Tトラフィックはドロップされない。
【０１７３】
＜切替の禁止が、伝送リソースの最小単位に、かつ現用系伝送路ＳＬおよび予備系伝送路ＰＬに対して設定される実施形態＞
（第９の実施形態）
次に、本発明の第９の実施形態につき説明する。この実施形態では、ＡＰＳによる切替の禁止が、伝送リソースの最小単位に、かつ現用系伝送路ＳＬおよび予備系伝送路ＰＬに対して設定される。
【０１７４】
この実施形態では、指定処理部１１０ａにより、現用系伝送路ＳＬにおける最小単位が任意に指定される。管理テーブル生成処理部１１０ｂは、指定処理部１１０ａで指定されたリソースを含む伝送パスに設定されたサービストラフィックが、ＡＰＳ制御部５ａにより予備系伝送路ＰＬに迂回させられることを禁止することを意味する管理テーブル６ａを、生成する。また管理テーブル生成処理部１１０ｂは、現用系伝送路ＳＬのどのサービストラフィックも、指定された伝送パスに対応する予備系伝送路ＰＬ側のリソースに迂回することを禁じられる旨を、管理テーブル６ａに記述する。
【０１７５】
図６８は、本実施形態において、オペレータにより監視制御装置１０の表示部２５を利用して実施されるオペレーションにつき説明するための図である。図６８に示すように、オペレータは表示部２５の画面上にてSRV系の任意の伝送パスを、指定する。ここではノードＢ−Ｄ間のタイムスロット１のパス（符号▲１▼）が指定されている。このオペレーションののち、セット要求メッセージが各ノードＡ〜Ｄに送出される。
【０１７６】
そうすると、セット要求メッセージが各ノードＡ〜Ｄにて受信され、必要な処理が施されたのち、図６９に示すような設定が実現される。この図には、切替禁止の設定が、SRV系だけでなくPRT系にも展開される状態が示される。図６９において、まず▲１▼と対になる▲２▼のリソースに対して切替禁止の設定が展開される。このとき、▲２▼および▲３▼のリソースにトラフィックが存在する場合には、▲３▼のリソースに対しても切替禁止の設定が水平展開される。さらに、▲３▼のリソースに設定が展開されたことにより、▲４▼のリソースに対しても切替禁止の設定が展開される。
【０１７７】
以上の展開によって、▲１▼〜▲４▼のリソースに関係するTrafficは、リング切替およびスパン切替のいずれによってもDropされなくなる。なお▲５▼のリソースにTrafficが存在する場合、▲１▼〜▲４▼のリソースに設定が展開されることから、▲５▼のリソースに関係するTrafficはリング切替によってDropされなくなる。以上の設定によりサービストラフィックとPRT Trafficの優先度が等しくなる。
【０１７８】
なお本実施形態では、セット要求受付処理部５ｃにより、監視制御装置１０からのセット要求メッセージに含まれる管理テーブル６ａの内容が展開される。いわば、セット要求受付処理部５ｃにより、管理テーブル６ａの内容が拡大解釈される。これにより、監視制御装置１０における設定を拡張した内容の管理テーブル６ａが記憶部６に記憶される点に、本実施形態の特徴がある。すなわち、本実施形態においては、ＡＰＳによる切替の禁止が、トラフィックを意識しつつ、設定される。
【０１７９】
図７０に、本実施形態における管理テーブル６ａを示す。図３５と比較しつつ説明する。図７０のテーブルは、ＴＳ１における、ノードＤのEast側、ノードＣのEast側およびWest側、および、ノードＢのWest側に関わる、スパン切替およびリング切替が禁止される点において、図３５のテーブルと同様である。また、PRT系におけるノードＢ−Ｄ間のP/Tがドロップされないことから、ＴＳ１の全てのセグメントに対してリング切替が禁止される。従って、図７０のテーブルにおいても、ＴＳ１に限り全てのセグメントのリング切替を禁止する旨のビット１が記述される。
【０１８０】
さらに、本実施形態の特徴的な点は、図７０のテーブルにおいて、ノードＢのEast側、およびノードＡのWest側にスパン切替を禁止する旨のビット１が記述されることである。このことは、管理テーブル６ａの内容が、ノードＡ〜Ｄにおいて展開されたことによるもので、図３５を用いて説明した内容に対応する。
【０１８１】
次に、上記の設定がなされた場合のＡＰＳによる切替制御の具体例を、４つのケースに分けて説明する。
＜ケース９−１＞
このケースでは、図７１に示すようにノードＣ，Ｄ間の現用系伝送路ＳＬに障害が発生した場合を考える。このとき、ＴＳ１のノードＢ−Ｄ間のパスは、スパン切替によりレストレーションされない。これに対し、ＴＳ２のノードＣ−Ｄ間のパスは切替が禁止されていないので、スパン切替によりレストレーションされる。よってサービストラフィックの伝送経路は、PRT系に切り替えられる。すなわち符号▲２▼のP/Tパスはドロップされるが、符号▲１▼のP/Tトラフィック（パス）はDropされない。
【０１８２】
＜ケース９−２＞
このケースでは、図７２に示すようにノードＣ，Ｄ間における現用系伝送路ＳＬと予備系伝送路ＰＬとに障害が発生した場合を考える。このときノードＢ−Ｄ間のＴＳ１のサービストラフィックは救済されない。これに対し、ノードＣ−Ｄ間のＴＳ２のサービストラフィックは、リング切替により救済される。すなわち、ＴＳ２のPRT系における、セグメントＣＤ以外のセグメントの、P/Tトラフィックが全てドロップされる。そして、P/Tトラフィックがドロップされたリソースに、ノードＣ−Ｄ間のＴＳ２におけるサービストラフィックが迂回してくる。すなわち▲１▼のトラフィックがドロップされないのに対し、▲２▼のトラフィックはドロップされる。
【０１８３】
＜ケース９−３＞
このケースでは、図７３に示すようにノードＡ，Ｂ間の現用系伝送路ＳＬに障害が発生した場合を考える。このとき、セグメントＡＢのＴＳ１のスパン切り替えが禁止されているため、PRT系のＴＳ１のノードＡ−Ｃ間のP/Tトラフィックはドロップされない。これに対し、セグメントＡＢのＴＳ２のスパン切り替えは禁止されていないので、HS Span Switchが実施される。これにより、セグメントＡＢのＴＳ２のP/Tトラフィックがドロップされ、当該セグメントのＴＳ２のサービストラフィックがPRT系にレストレーションされる。従って、符号▲１▼および▲２▼に示す状態が実現される。
【０１８４】
＜ケース９−４＞
このケースでは、図７４に示すようにノードＡ，Ｂ間における現用系伝送路ＳＬと予備系伝送路ＰＬとに障害が発生した場合を考える。このとき、ＴＳ１に関してはリング切替えが禁止されているので、SRV系のＴＳ１のトラフィックは動かない。一方、ＴＳ２のセグメントＡＢに関するリング切替は禁止されていない。よってHS Ring Switchが実施され、セグメントＡＢ以外のセグメントのP/Tトラフィックがドロップされ、セグメントＡＢのサービストラフィックがPRT系にレストレーションされる。従って、符号▲１▼および▲２▼に示す状態が実現される。
【０１８５】
＜切替の禁止が、セグメント単位に、かつ予備系伝送路ＰＬに対して設定される実施形態＞
（第１０の実施形態）
次に、本発明の第１０の実施形態につき説明する。この実施形態では、ＡＰＳによる切替の禁止が、セグメント単位に、かつ予備系伝送路ＰＬに対して設定される。
【０１８６】
この実施形態では、指定処理部１１０ａにより、いずれかのセグメントにおける予備系伝送路ＰＬが任意に指定される。管理テーブル生成処理部１１０ｂは、現用系伝送路ＳＬにおけるどのサービストラフィックも、指定されたセグメントの予備系伝送路ＰＬに迂回することを禁止されることを意味する管理テーブル６ａを、生成する。
【０１８７】
＜切替の禁止が、伝送パス単位に、かつ予備系伝送路ＰＬに対して設定される実施形態＞
（第１１の実施形態）
次に、本発明の第２の実施形態につき説明する。この実施形態では、ＡＰＳによる切替の禁止が、伝送パス単位に、かつ予備系伝送路ＰＬに対して設定される。
【０１８８】
この実施形態では、指定処理部１１０ａにより、予備系伝送路ＰＬのいずれかの伝送パスが任意に指定される。管理テーブル生成処理部１１０ｂは、指定された伝送パスに設定されたＰ／Ｔまたはエキストラトラフィックの伝送リソースに、ＡＰＳ制御部５ａによりサービストラフィックが迂回させられることを禁止することを意味する管理テーブル６ａを、生成する。
【０１８９】
＜切替の禁止が、タイムスロット単位に、かつ予備系伝送路ＰＬに対して設定される実施形態＞
（第１２の実施形態）
次に、本発明の第１２の実施形態につき説明する。この実施形態では、ＡＰＳによる切替の禁止が、タイムスロット単位に、かつ予備系伝送路ＰＬに対して設定される。
【０１９０】
この実施形態では、指定処理部１１０ａにより、予備系伝送路ＰＬのいずれかのタイムスロットが任意に指定される。管理テーブル生成処理部１１０ｂは、指定されたタイムスロットに設定されたＰ／Ｔまたはエキストラトラフィックの伝送リソースに、ＡＰＳ制御部５ａによりサービストラフィックが迂回させられることを禁止することを意味する管理テーブル６ａを、生成する。
【０１９１】
＜切替の禁止が、伝送リソースの最小単位に、かつ予備系伝送路ＰＬに対して設定される実施形態＞
（第１３の実施形態）
次に、本発明の第１３の実施形態につき説明する。この実施形態では、ＡＰＳによる切替の禁止が、伝送リソースの最小単位に、かつ予備系伝送路ＳＬに対して設定される。
【０１９２】
＜切替の禁止が、セグメント単位で、かつ現用系伝送路ＳＬおよび予備系伝送路ＰＬに対して設定される実施形態＞
（第１４の実施形態）
次に、本発明の第１４の実施形態につき説明する。この実施形態では、ＡＰＳによる切替の禁止が、セグメント単位で、かつ現用系伝送路ＳＬおよび予備系伝送路ＰＬに対して設定される。
【０１９３】
この実施形態では、指定処理部１１０ａにより、予備系伝送路ＰＬのいずれかのセグメントが任意に指定される。管理テーブル生成処理部１１０ｂは、指定されたセグメントに設定されたＰ／Ｔまたはエキストラトラフィックの伝送リソースに、ＡＰＳ制御部５ａによりサービストラフィックが迂回させられることを禁止することを意味する管理テーブル６ａを、生成する。また管理テーブル生成処理部１１０ｂは、指定されたセグメントに対応する現用系伝送路ＳＬ側のリソースにおけるサービストラフィックが、ＡＰＳ制御部５ａにより予備系伝送路ＰＬに迂回させられることを禁止する旨を、管理テーブル６ａに記述する。
【０１９４】
＜切替の禁止が、伝送パス単位で、かつ現用系伝送路ＳＬおよび予備系伝送路ＰＬに対して設定される実施形態＞
（第１５の実施形態）
次に、本発明の第１５の実施形態につき説明する。この実施形態では、ＡＰＳによる切替の禁止が、伝送パス単位で、かつ現用系伝送路ＳＬおよび予備系伝送路ＰＬに対して設定される。
【０１９５】
この実施形態では、指定処理部１１０ａにより、予備系伝送路ＰＬのいずれかの伝送パスが任意に指定される。管理テーブル生成処理部１１０ｂは、指定された伝送パスに設定されたＰ／Ｔまたはエキストラトラフィックの伝送リソースに、ＡＰＳ制御部５ａによりサービストラフィックが迂回させられることを禁止することを意味する管理テーブル６ａを、生成する。また管理テーブル生成処理部１１０ｂは、指定された伝送パスに対応する現用系伝送路ＳＬ側のリソースにおけるサービストラフィックが、ＡＰＳ制御部５ａにより予備系伝送路ＰＬに迂回させられることを禁止する旨を、管理テーブル６ａに記述する。
【０１９６】
図７５は、本実施形態において、オペレータにより監視制御装置１０の表示部２５を利用して実施されるオペレーションにつき説明するための図である。図７５に示すように、オペレータは表示部２５の画面上にてPRT系の任意の伝送パスを、指定する。ここではノードＢ−Ｄ間のタイムスロット１のパス（符号▲１▼）が指定されている。このオペレーションののち、セット要求メッセージが各ノードＡ〜Ｄに送出される。
【０１９７】
そうすると、セット要求メッセージが各ノードＡ〜Ｄにて受信され、必要な処理が施されたのち、図７６に示すような設定が実現される。この図には、切替禁止の設定が、SRV系だけでなくPRT系にも展開される状態が示される。図７６において、まず符号▲１▼と対になる▲２▼のリソースに対して切替禁止の設定が展開される。このとき、符号▲２▼および▲３▼のリソースを介して伝送されるトラフィックが存在した場合には、符号▲３▼のリソースに対しても切替禁止の設定が水平展開される。さらに、符号▲３▼のリソースに設定が展開されたことにより、符号▲４▼のリソースに対しても切替禁止の設定が展開される。
【０１９８】
以上の展開によって、▲１▼〜▲４▼のリソースを介して伝送されるTrafficは、リング切替、およびスパン切替のいずれによってもDropされなくなる。また、符号▲１▼〜▲４▼のリソースに設定が展開されるため、▲５▼のリソースを伝送するTrafficが存在した場合、このトラフィックはリング切替によりDropされなくなる。以上の設定によりサービストラフィックとPRT Trafficの優先度が等しくなる。
【０１９９】
なお本実施形態では、セット要求受付処理部５ｃにより、監視制御装置１０からのセット要求メッセージに含まれる管理テーブル６ａの内容が展開される。いわば、セット要求受付処理部５ｃにより、管理テーブル６ａの内容が拡大解釈される。これにより、監視制御装置１０における設定が拡張された内容の管理テーブル６ａが記憶部６に記憶される点に、本実施形態の特徴がある。すなわち、ＡＰＳによる切替の禁止は、トラフィックを意識しつつ、設定される。
【０２００】
なお本実施形態における管理テーブル６ａの内容は、図４９と同様になる。
【０２０１】
次に、上記の設定がなされた場合のＡＰＳによる切替制御の具体例を、４つのケースに分けて説明する。
＜ケース１５−１＞
このケースでは、図７７に示すようにノードＣ，Ｄ間の現用系伝送路ＳＬに障害が発生した場合を考える。このとき、ＴＳ１のノードＣ−Ｄ間のパスはスパン切替によるサービストラフィックのレストレーションが実行されない。これに対し、ＴＳ２のノードＣ−Ｄ間のパスは切替が禁止されていない。よって、スパン切替により、サービストラフィックはPRT系に切り替えられる。すなわち▲２▼のP/Tパスはドロップされるが、▲１▼のP/Tトラフィック（パス）はDropされない。
【０２０２】
＜ケース１５−２＞
このケースでは、図７８に示すようにノードＣ，Ｄ間における現用系伝送路ＳＬと予備系伝送路ＰＬとに障害が発生した場合を考える。このときノードＣ−Ｄ間のＴＳ１のサービストラフィックは救済されない。これに対し、ノードＣ−Ｄ間のＴＳ２のサービストラフィックに関してリング切替が実施される。すなわちPRT系のＴＳ２におけるセグメントＣＤ以外のセグメントのP/Tトラフィックが、全てドロップされる。そして、P/Tトラフィックがドロップされたリソースに、ノードＣ−Ｄ間のＴＳ２のサービストラフィックが迂回してくる。すなわち▲１▼のトラフィックがドロップされないのに対し、▲２▼のトラフィックはドロップされる。
【０２０３】
＜ケース１５−３＞
このケースでは、図７９に示すようにノードＡ，Ｂ間の現用系伝送路ＳＬに障害が発生した場合を考える。このとき、セグメントＡＢのＴＳ１のスパン切り替えは禁止されている。よってPRT系のＴＳ１のノードＡ−Ｂ間のP/Tトラフィックはドロップされない。これに対し、セグメントＡＢのＴＳ２のスパン切り替えは禁止されていないので、HS Span Switchが実施される。よって、セグメントＡＢのＴＳ２のP/Tトラフィックがドロップされ、当該セグメントのＴＳ２のサービストラフィックはPRT系にレストレーションされる。これにより、符号▲１▼および▲２▼に示す状態が実現される。
【０２０４】
＜ケース１５−４＞
このケースでは、図８０に示すようにノードＡ，Ｂ間における現用系伝送路ＳＬと予備系伝送路ＰＬとに障害が発生した場合を考える。このとき、ＴＳ１に関してはリング切替えが禁止されているので、SRV系のＴＳ１のトラフィックは動かない。一方、ＴＳ２のセグメントＡＢに関するリング切替は禁止されていない。よってHS Ring Switchが実施される。セグメントＡＢ以外のセグメントのP/Tトラフィックはドロップされ、セグメントＡＢのサービストラフィックはPRT系にレストレーションされる。これにより符号▲１▼および▲２▼に示す状態が実現される。
【０２０５】
＜切替の禁止が、伝送パス単位に、かつ現用系伝送路ＳＬおよび予備系伝送路ＰＬに対して設定される実施形態＞
（第１６の実施形態）
次に、本発明の第１６の実施形態につき説明する。この実施形態では、ＡＰＳによる切替の禁止が、伝送パス単位で、かつ現用系伝送路ＳＬおよび予備系伝送路ＰＬに対して設定される。
【０２０６】
この実施形態では、指定処理部１１０ａにより、予備系伝送路ＰＬのいずれかの伝送パスが任意に指定される。管理テーブル生成処理部１１０ｂは、指定処理部１１０ａで指定された伝送パスに設定されたサービストラフィックが、ＡＰＳ制御部５ａにより予備系伝送路ＰＬに迂回させられることを禁止することを意味する管理テーブル６ａを、生成する。また管理テーブル生成処理部１１０ｂは、現用系伝送路ＳＬのどのサービストラフィックも、指定された伝送パスに対応する予備系伝送路ＰＬ側のリソースに迂回することを禁止される旨を、管理テーブル６ａに記述する。
【０２０７】
この実施形態においては、ＡＰＳによる切替の禁止が、トラフィックを意識せずに設定される。一方、第１５の実施形態においては、ＡＰＳによる切替の禁止が、トラフィックを意識しつつ設定される。この点で、これらの実施例は異なる。
【０２０８】
すなわち本実施形態においては、図８１に示すように、▲２▼と対になる▲１▼のリソースに対して切替禁止の設定が展開される。この点については第１５の実施形態と変わらない。しかしながらこの実施形態では、▲１▼および▲３▼のリソースにトラフィックが存在するにも拘わらず、▲３▼のリソースには、切替禁止の設定が水平展開されない。従って▲３▼のリソースに関しては、スパン切り替えが許可される。
【０２０９】
以上をまとめると、符号▲１▼、▲２▼のリソースを介して伝送されるTrafficは、リング切替、およびスパン切替のいずれによってもDropされなくなる。また符号▲３▼のリソースを介して伝送されるTrafficは、リング切替によってDropされないが、スパン切替によってはDropされる。以上の設定によりサービストラフィックとPRT Trafficの優先度が等しくなる。
【０２１０】
なおこの実施形態における管理テーブル６ａの内容は、図５４と同様になる。
この実施形態では、監視制御装置１０の表示部２５を利用して実施されるオペレータのオペレーションは、図７５に示されるのと同様である。このオペレーションののち、セット要求メッセージが各ノードＡ〜Ｄに送出される。
【０２１１】
そうすると、セット要求メッセージが各ノードＡ〜Ｄにて受信され、必要な処理が施されたのち、図８１に示すような設定が実現される。この図には、切替禁止の設定が、SRV系だけでなくPRT系にも展開される状態が示される。図８２において、まず符号▲２▼と対になる▲１▼のリソースに対して切替禁止の設定が展開される。このとき、▲１▼および▲３▼のリソースにトラフィックが存在しても、符号▲３▼のリソースには、切替禁止の設定が展開されない。以上の展開によって、▲１▼、▲２▼のセグメントを伝送するTrafficはRing、スパン切替によってDropされなくなる。
【０２１２】
次に、上記の設定がなされた場合のＡＰＳによる切替制御の具体例を、４つのケースに分けて説明する。
＜ケース１６−１＞
ここでは図８２に示すようにノードＣ，Ｄ間の現用系伝送路ＳＬに障害が発生した場合を考える。このとき、ＴＳ１のノードＣ−Ｄ間のパスを流れるトラフィックは、スパン切替によりPRT側にレストレーションされない。これに対し、ＴＳ２のノードＣ−Ｄ間のパスは切替が禁止されていない。よって、スパン切替により、サービストラフィックはPRT系側に切り替えられる。すなわち▲２▼のP/Tパスはドロップされるが、▲１▼のP/Tトラフィック（パス）はDropされない。
【０２１３】
＜ケース１６−２＞
このケースでは、図８３に示すようにノードＣ，Ｄ間における現用系伝送路ＳＬと予備系伝送路ＰＬとに障害が発生した場合を考える。このときノードＣ−Ｄ間のＴＳ１のサービストラフィックは救済されない。これに対し、ノードＣ−Ｄ間のＴＳ２のサービストラフィックに関してリング切替が実施される。すなわちＴＳ２のPRT系におけるセグメントＣＤ以外のセグメントのP/Tトラフィックが、全てドロップされる。そして、P/Tトラフィックがドロップされたリソースに、ノードＣ−Ｄ間のＴＳ２のサービストラフィックが迂回してくる。すなわち▲１▼のトラフィックがドロップされないのに対し、▲２▼のトラフィックはドロップされる。
【０２１４】
＜ケース１６−３＞
このケースでは、図８４に示すようにノードＡ，Ｂ間の現用系伝送路ＳＬに障害が発生した場合を考える。このとき、セグメントＡＢのＴＳ１のスパン切り替えは禁止されていない。従って、HS Span Switchが実施される。セグメントＡＢのＴＳ１におけるP/Tトラフィックはドロップされ、このセグメントのＴＳ１におけるサービストラフィックがPRT系にレストレーションされる。また、セグメントＡＢのＴＳ２のスパン切り替えも禁止されていない。したがってHS Span Switchが実施される。セグメントＡＢのＴＳ２におけるP/Tトラフィックはドロップされ、このセグメントのＴＳ２におけるサービストラフィックはPRT系にレストレーションされる。このようにして、符号▲１▼および▲２▼に示すレストレーション状態となる。
【０２１５】
＜ケース１６−４＞
このケースでは、図８５に示すようにノードＡ，Ｂ間における現用系伝送路ＳＬと予備系伝送路ＰＬとに障害が発生した場合を考える。このとき、ＴＳ１に関してはリング切替えが禁止されているので、SRV系のＴＳ１のトラフィックは動かない。一方、ＴＳ２のセグメントＡＢに関するリング切替は禁止されていない。よってHS Ring Switchが実施され、セグメントＡＢ以外のセグメントのP/Tトラフィックがドロップされる。そして、セグメントＡＢのサービストラフィックがPRT系にレストレーションされる。その結果、符号▲１▼および▲２▼に示す状態が実現される。
【０２１６】
＜切替の禁止が、タイムスロット単位で、かつ現用系伝送路ＳＬおよび予備系伝送路ＰＬに対して設定される実施形態＞
（第１７の実施形態）
次に、本発明の第１７の実施形態につき説明する。この実施形態では、ＡＰＳによる切替の禁止が、タイムスロット単位で、かつ現用系伝送路ＳＬおよび予備系伝送路ＰＬに対して設定される。
【０２１７】
この実施形態では、指定処理部１１０ａにより、予備系伝送路ＰＬのいずれかのタイムスロットが任意に指定される。管理テーブル生成処理部１１０ｂは、指定されたタイムスロットに設定されたＰ／Ｔまたはエキストラトラフィックの伝送リソースに、ＡＰＳ制御部５ａによりサービストラフィックが迂回させられることを禁止することを意味する管理テーブル６ａを、生成する。また管理テーブル生成処理部１１０ｂは、指定されたタイムスロットに対応する現用系伝送路ＳＬ側のリソースにおけるサービストラフィックが、ＡＰＳ制御部５ａにより予備系伝送路ＰＬに迂回させられることを禁止する旨を、管理テーブル６ａに記述する。
【０２１８】
＜切替の禁止が、伝送リソースの最小単位に、かつ現用系伝送路ＳＬおよび予備系伝送路ＰＬに対して設定される実施形態＞
（第１８の実施形態）
次に、本発明の第１８の実施形態につき説明する。この実施形態では、ＡＰＳによる切替の禁止が、伝送リソースの最小単位に、かつ現用系伝送路ＳＬおよび予備系伝送路ＰＬに対して設定される。
【０２１９】
以上詳述したように本実施形態では、ノード装置Ａ〜Ｄに、システム内の任意のリソースに対してＡＰＳによる切り替えを禁止するか、または許可するかの旨を示す管理テーブル６ａを記憶させる。またノード装置Ａ〜Ｄに、ＡＰＳ機能の実現を担うＡＰＳ制御部５ａに加え、管理テーブル６ａに基づきＡＰＳ制御部５ａによる切替処理を一部禁止する切替禁止制御部５ｂと、管理テーブル６ａを含むセット要求メッセージを受け付け、このメッセージに含まれる管理テーブルを解釈して記憶部６に記憶すべき管理テーブル６ａを生成するセット要求受付処理部５ｃとを備えるようにしている。
このようなことから、運用面での自由度の更なる向上を図ることが可能になる。
【０２２０】
なお、本発明は上記の各実施形態に限定されるものではない。
例えば上記各実施形態では、ＳＤＨに則したシステムに関して説明した。しかしながら本発明の思想はＳＤＨに限定されるものではなく、例えば米国における標準であるＳＯＮＥＴ（Synchronous Optical Network）にも適用できる。
【０２２１】
また、当業者が勧告Ｇ．８４１を実装するノードを実施するにあたり、現時点ではＴＳＡ（２−０，２−１）にて電気信号の状態でのAdd/Drop処理を行うノード（以下ＡＤＭ（Add Drop Multiplexer）と称する）が主流である。しかしながら将来には、光信号領域でのAdd/Drop処理を行うノード（以下ＯＡＤＭ（Optical Add Drop Multiplexerと称する））がシステムの主流となることが予想される。
【０２２２】
ＡＤＭは「時分割多重された個々のスロットをパスとする」ものであるのに対し、ＯＡＤＭは「波長多重された個々の波長の光信号をパスとする」ものであり、両者は主としてこの点で相異する。すなわちＡＤＭではTime slot単位での多重を行っていたところ、ＯＡＤＭでは波長単位での多重を行う点に違いがある。しかしながら本願発明は、この種のノード（ＯＡＤＭ）に対しても適用することができる。なぜなら、本発明は「パスが時分割多重されていること」をその条件とするものではないからである。
このほか、本明細書の記載内容を逸脱しない範囲で種々の変形実施を行うことができる。
【０２２３】
【発明の効果】
以上詳述したように本発明によれば、運用面での自由度の更なる向上を図ったデータ伝送システム、監視制御装置およびノード装置を提供することができる。
【図面の簡単な説明】
【図１】  本発明の実施の形態に係わるデータ伝送システムの構成を示すシステム図。
【図２】  図１のノードＡ〜Ｄの構成を示す機能ブロック図。
【図３】  管理テーブル６ａのデフォルトでの状態を示す図。
【図４】  図１のＮＭＥ１０の構成を示す機能ブロック図。
【図５】  本発明の実施形態における伝送パスの設定例を示す図。
【図６】  ＡＰＳ制御部５ａによる切り替えを説明するための図。
【図７】  ＡＰＳ制御部５ａによる切り替えを説明するための図。
【図８】  ＡＰＳ制御部５ａによる切り替えを説明するための図。
【図９】  ダイアグノーシス（Diagnostics：自己診断機能）を説明するための概念図。
【図１０】  ダイアグノーシスを実施する際の手順につき説明するためのフローチャート。
【図１１】  本発明の実施形態におけるＡＰＳ制御部５ａの処理手順を示すフローチャート。
【図１２】  本発明の第１の実施形態における管理テーブル６ａを示す図。
【図１３】  本発明の第１の実施形態におけるオペレータのオペレーションを説明するための図。
【図１４】  本発明の第１の実施形態におけるノードＡ〜Ｄ側での設定内容を示す図。
【図１５】  本発明の第１の実施形態においてノードＣ，Ｄ間の現用系伝送路ＳＬに障害が発生した場合の切替の形態を示す図。
【図１６】  本発明の第１の実施形態においてノードＣ，Ｄ間の現用系伝送路ＳＬおよび予備系伝送路ＰＬに障害が発生した場合の切替の形態を示す図。
【図１７】  本発明の第１の実施形態においてノードＡ，Ｂ間の現用系伝送路ＳＬに障害が発生した場合の切替の形態を示す図。
【図１８】  本発明の第１の実施形態においてノードＡ，Ｂ間の現用系伝送路ＳＬおよび予備系伝送路ＰＬに障害が発生した場合の切替の形態を示す図。
【図１９】  本発明の第２の実施形態におけるオペレータのオペレーションを説明するための図。
【図２０】  本発明の第２の実施形態におけるノードＡ〜Ｄ側での設定内容を示す図。
【図２１】  本発明の第２の実施形態における管理テーブル６ａを示す図。
【図２２】  本発明の第２の実施形態においてノードＣ，Ｄ間の現用系伝送路ＳＬに障害が発生した場合の切替の形態を示す図。
【図２３】  本発明の第２の実施形態においてノードＣ，Ｄ間の現用系伝送路ＳＬおよび予備系伝送路ＰＬに障害が発生した場合の切替の形態を示す図。
【図２４】  本発明の第２の実施形態においてノードＡ，Ｂ間の現用系伝送路ＳＬに障害が発生した場合の切替の形態を示す図。
【図２５】  本発明の第２の実施形態においてノードＡ，Ｂ間の現用系伝送路ＳＬおよび予備系伝送路ＰＬに障害が発生した場合の切替の形態を示す図。
【図２６】  本発明の第３の実施形態におけるオペレータのオペレーションを説明するための図。
【図２７】  本発明の第３の実施形態におけるノードＡ〜Ｄ側での設定内容を示す図。
【図２８】  本発明の第３の実施形態における管理テーブル６ａを示す図。
【図２９】  本発明の第３の実施形態においてノードＣ，Ｄ間の現用系伝送路ＳＬに障害が発生した場合の切替の形態を示す図。
【図３０】  本発明の第３の実施形態においてノードＣ，Ｄ間の現用系伝送路ＳＬおよび予備系伝送路ＰＬに障害が発生した場合の切替の形態を示す図。
【図３１】  本発明の第３の実施形態においてノードＡ，Ｂ間の現用系伝送路ＳＬに障害が発生した場合の切替の形態を示す図。
【図３２】  本発明の第３の実施形態においてノードＡ，Ｂ間の現用系伝送路ＳＬおよび予備系伝送路ＰＬに障害が発生した場合の切替の形態を示す図。
【図３３】  本発明の第４の実施形態におけるオペレータのオペレーションを説明するための図。
【図３４】  本発明の第４の実施形態におけるノードＡ〜Ｄ側での設定内容を示す図。
【図３５】  本発明の第４の実施形態における管理テーブル６ａを示す図。
【図３６】  本発明の第４の実施形態においてノードＣ，Ｄ間の現用系伝送路ＳＬに障害が発生した場合の切替の形態を示す図。
【図３７】  本発明の第４の実施形態においてノードＣ，Ｄ間の現用系伝送路ＳＬおよび予備系伝送路ＰＬに障害が発生した場合の切替の形態を示す図。
【図３８】  本発明の第４の実施形態においてノードＡ，Ｂ間の現用系伝送路ＳＬに障害が発生した場合の切替の形態を示す図。
【図３９】  本発明の第４の実施形態においてノードＡ，Ｂ間の現用系伝送路ＳＬおよび予備系伝送路ＰＬに障害が発生した場合の切替の形態を示す図。
【図４０】  本発明の第５の実施形態におけるオペレータのオペレーションを説明するための図。
【図４１】  本発明の第５の実施形態におけるノードＡ〜Ｄ側での設定内容を示す図。
【図４２】  本発明の第５の実施形態における管理テーブル６ａを示す図。
【図４３】  本発明の第５の実施形態においてノードＣ，Ｄ間の現用系伝送路ＳＬに障害が発生した場合の切替の形態を示す図。
【図４４】  本発明の第５の実施形態においてノードＣ，Ｄ間の現用系伝送路ＳＬおよび予備系伝送路ＰＬに障害が発生した場合の切替の形態を示す図。
【図４５】  本発明の第５の実施形態においてノードＡ，Ｂ間の現用系伝送路ＳＬに障害が発生した場合の切替の形態を示す図。
【図４６】  本発明の第５の実施形態においてノードＡ，Ｂ間の現用系伝送路ＳＬおよび予備系伝送路ＰＬに障害が発生した場合の切替の形態を示す図。
【図４７】  本発明の第６の実施形態におけるオペレータのオペレーションを説明するための図。
【図４８】  本発明の第６の実施形態におけるノードＡ〜Ｄ側での設定内容を示す図。
【図４９】  本発明の第６の実施形態における管理テーブル６ａを示す図。
【図５０】  本発明の第６の実施形態においてノードＣ，Ｄ間の現用系伝送路ＳＬに障害が発生した場合の切替の形態を示す図。
【図５１】  本発明の第６の実施形態においてノードＣ，Ｄ間の現用系伝送路ＳＬおよび予備系伝送路ＰＬに障害が発生した場合の切替の形態を示す図。
【図５２】  本発明の第６の実施形態においてノードＡ，Ｂ間の現用系伝送路ＳＬに障害が発生した場合の切替の形態を示す図。
【図５３】  本発明の第６の実施形態においてノードＡ，Ｂ間の現用系伝送路ＳＬおよび予備系伝送路ＰＬに障害が発生した場合の切替の形態を示す図。
【図５４】  本発明の第７の実施形態における管理テーブル６ａを示す図。
【図５５】  本発明の第７の実施形態オペレータのオペレーションを説明するための図。
【図５６】  本発明の第７の実施形態におけるノードＡ〜Ｄ側での設定内容を示す図。
【図５７】  本発明の第７の実施形態においてノードＣ，Ｄ間の現用系伝送路ＳＬに障害が発生した場合の切替の形態を示す図。
【図５８】  本発明の第７の実施形態においてノードＣ，Ｄ間の現用系伝送路ＳＬおよび予備系伝送路ＰＬに障害が発生した場合の切替の形態を示す図。
【図５９】  本発明の第７の実施形態においてノードＡ，Ｂ間の現用系伝送路ＳＬに障害が発生した場合の切替の形態を示す図。
【図６０】  本発明の第７の実施形態においてノードＡ，Ｂ間の現用系伝送路ＳＬおよび予備系伝送路ＰＬに障害が発生した場合の切替の形態を示す図。
【図６１】  本発明の第８の実施形態におけるオペレータのオペレーションを説明するための図。
【図６２】  本発明の第８の実施形態におけるノードＡ〜Ｄ側での設定内容を示す図。
【図６３】  本発明の第８の実施形態における管理テーブル６ａを示す図。
【図６４】  本発明の第８の実施形態においてノードＣ，Ｄ間の現用系伝送路ＳＬに障害が発生した場合の切替の形態を示す図。
【図６５】  本発明の第８の実施形態においてノードＣ，Ｄ間の現用系伝送路ＳＬおよび予備系伝送路ＰＬに障害が発生した場合の切替の形態を示す図。
【図６６】  本発明の第８の実施形態においてノードＡ，Ｂ間の現用系伝送路ＳＬに障害が発生した場合の切替の形態を示す図。
【図６７】  本発明の第８の実施形態においてノードＡ，Ｂ間の現用系伝送路ＳＬおよび予備系伝送路ＰＬに障害が発生した場合の切替の形態を示す図。
【図６８】  本発明の第９の実施形態におけるオペレータのオペレーションを説明するための図。
【図６９】  本発明の第９の実施形態におけるノードＡ〜Ｄ側での設定内容を示す図。
【図７０】  本発明の第９の実施形態における管理テーブル６ａを示す図。
【図７１】  本発明の第９の実施形態においてノードＣ，Ｄ間の現用系伝送路ＳＬに障害が発生した場合の切替の形態を示す図。
【図７２】  本発明の第９の実施形態においてノードＣ，Ｄ間の現用系伝送路ＳＬおよび予備系伝送路ＰＬに障害が発生した場合の切替の形態を示す図。
【図７３】  本発明の第９の実施形態においてノードＡ，Ｂ間の現用系伝送路ＳＬに障害が発生した場合の切替の形態を示す図。
【図７４】  本発明の第９の実施形態においてノードＡ，Ｂ間の現用系伝送路ＳＬおよび予備系伝送路ＰＬに障害が発生した場合の切替の形態を示す図。
【図７５】  本発明の第１５の実施形態におけるオペレータのオペレーションを説明するための図。
【図７６】  本発明の第１５の実施形態におけるノードＡ〜Ｄ側での設定内容を示す図。
【図７７】  本発明の第１５の実施形態においてノードＣ，Ｄ間の現用系伝送路ＳＬに障害が発生した場合の切替の形態を示す図。
【図７８】  本発明の第１５の実施形態においてノードＣ，Ｄ間の現用系伝送路ＳＬおよび予備系伝送路ＰＬに障害が発生した場合の切替の形態を示す図。
【図７９】  本発明の第１５の実施形態においてノードＡ，Ｂ間の現用系伝送路ＳＬに障害が発生した場合の切替の形態を示す図。
【図８０】  本発明の第１５の実施形態においてノードＡ，Ｂ間の現用系伝送路ＳＬおよび予備系伝送路ＰＬに障害が発生した場合の切替の形態を示す図。
【図８１】  本発明の第１６の実施形態におけるノードＡ〜Ｄ側での設定内容を示す図。
【図８２】  本発明の第１６の実施形態においてノードＣ，Ｄ間の現用系伝送路ＳＬに障害が発生した場合の切替の形態を示す図。
【図８３】  本発明の第１６の実施形態においてノードＣ，Ｄ間の現用系伝送路ＳＬおよび予備系伝送路ＰＬに障害が発生した場合の切替の形態を示す図。
【図８４】  本発明の第１６の実施形態においてノードＡ，Ｂ間の現用系伝送路ＳＬに障害が発生した場合の切替の形態を示す図。
【図８５】  本発明の第１６の実施形態においてノードＡ，Ｂ間の現用系伝送路ＳＬおよび予備系伝送路ＰＬに障害が発生した場合の切替の形態を示す図。
【符号の説明】
Ａ〜Ｄ…ノード（Ｎｏｄｅ）
ＴＬ…光ファイバ伝送路
ＳＬ…現用系伝送路
ＰＬ…予備系伝送路
３ｃ…低速回線
１０…監視制御装置（ＮＭＥ）
１−０…現用系高速インタフェース部（ＨＳ  Ｉ／Ｆ）
１−１…予備系高速インタフェース部
２−０，２−１…タイムスロット交換部（ＴＳＡ）
３−１〜３−ｋ…低速インタフェース部（ＬＳ  Ｉ／Ｆ）
４Ｈ，４Ｔ，４Ｌ…サブコントローラ
５…主制御部
５ａ…ＡＰＳ制御部
５ｂ…切替禁止制御部
５ｃ…セット要求受付処理部
６…記憶部
６ａ…管理テーブル
７…管理網インタフェース（Ｉ／Ｆ）
２１…操作部
２５…表示部
８０…入出力部
９０…インタフェース（Ｉ／Ｆ）部
１００…記憶部
１１０…ＣＰＵ
１１０ａ…指定処理部
１１０ｂ…管理テーブル生成部
１１０ｃ…セット処理部
１１０ｄ…パス生成処理部
１１０ｅ…解除処理部
１１０ｆ…整合処理部
【図１】
0003637303.tif 000002
【図２】
0003637303.tif 000003
【図３】
0003637303.tif 000004
【図４】
0003637303.tif 000005
【図５】
0003637303.tif 000006
【図６】
0003637303.tif 000007
【図７】
0003637303.tif 000008
【図８】
0003637303.tif 000009
【図９】
0003637303.tif 000010
【図１０】
0003637303.tif 000011
【図１１】
0003637303.tif 000012
【図１２】
0003637303.tif 000013
【図１３】
0003637303.tif 000014
【図１４】
0003637303.tif 000015
【図１５】
0003637303.tif 000016
【図１６】
0003637303.tif 000017
【図１７】
0003637303.tif 000018
【図１８】
0003637303.tif 000019
【図１９】
0003637303.tif 000020
【図２０】
0003637303.tif 000021
【図２１】
0003637303.tif 000022
【図２２】
0003637303.tif 000023
【図２３】
0003637303.tif 000024
【図２４】
0003637303.tif 000025
【図２５】
0003637303.tif 000026
【図２６】
0003637303.tif 000027
【図２７】
0003637303.tif 000028
【図２８】
0003637303.tif 000029
【図２９】
0003637303.tif 000030
【図３０】
0003637303.tif 000031
【図３１】
0003637303.tif 000032
【図３２】
0003637303.tif 000033
【図３３】
0003637303.tif 000034
【図３４】
0003637303.tif 000035
【図３５】
0003637303.tif 000036
【図３６】
0003637303.tif 000037
【図３７】
0003637303.tif 000038
【図３８】
0003637303.tif 000039
【図３９】
0003637303.tif 000040
【図４０】
0003637303.tif 000041
【図４１】
0003637303.tif 000042
【図４２】
0003637303.tif 000043
【図４３】
0003637303.tif 000044
【図４４】
0003637303.tif 000045
【図４５】
0003637303.tif 000046
【図４６】
0003637303.tif 000047
【図４７】
0003637303.tif 000048
【図４８】
0003637303.tif 000049
【図４９】
0003637303.tif 000050
【図５０】
0003637303.tif 000051
【図５１】
0003637303.tif 000052
【図５２】
0003637303.tif 000053
【図５３】
0003637303.tif 000054
【図５４】
0003637303.tif 000055
【図５５】
0003637303.tif 000056
【図５６】
0003637303.tif 000057
【図５７】
0003637303.tif 000058
【図５８】
0003637303.tif 000059
【図５９】
0003637303.tif 000060
【図６０】
0003637303.tif 000061
【図６１】
0003637303.tif 000062
【図６２】
0003637303.tif 000063
【図６３】
0003637303.tif 000064
【図６４】
0003637303.tif 000065
【図６５】
0003637303.tif 000066
【図６６】
0003637303.tif 000067
【図６７】
0003637303.tif 000068
【図６８】
0003637303.tif 000069
【図６９】
0003637303.tif 000070
【図７０】
0003637303.tif 000071
【図７１】
0003637303.tif 000072
【図７２】
0003637303.tif 000073
【図７３】
0003637303.tif 000074
【図７４】
0003637303.tif 000075
【図７５】
0003637303.tif 000076
【図７６】
0003637303.tif 000077
【図７７】
0003637303.tif 000078
【図７８】
0003637303.tif 000079
【図７９】
0003637303.tif 000080
【図８０】
0003637303.tif 000081
【図８１】
0003637303.tif 000082
【図８２】
0003637303.tif 000083
【図８３】
0003637303.tif 000084
【図８４】
0003637303.tif 000085
【図８５】
0003637303.tif 000086